(57)【要約】  サウンディング参照信号の伝送方法、装置、チップおよび端末を開示する。サウンディング参照信号の伝送方法は、アップリンク伝送チャネルがスケジューリングされると、アップリンク伝送チャネルのスケジューリング情報を取得するステップと、アップリンク伝送チャネルのスケジューリング情報と、アップリンク制御信号伝送用のアップリンク制御チャネルに用いられるリソースとの所定のマッピング関係に基づいて、アップリンク伝送チャネルのスケジューリング情報に対応するアップリンク制御チャネルに用いられるリソースを確定するステップと、アップリンク制御チャネルに用いられるリソースを利用してサウンディング参照信号を伝送するステップとを含む。【選択図】  図４
2019507987.tif 000002
【特許請求の範囲】
【請求項１】
アップリンク伝送チャネルがスケジューリングされると、前記アップリンク伝送チャネルのスケジューリング情報を取得するステップと、
前記アップリンク伝送チャネルの前記スケジューリング情報と、アップリンク制御信号伝送用のアップリンク制御チャネルに用いられるリソースとの所定のマッピング関係に基づいて、前記アップリンク伝送チャネルの前記スケジューリング情報に対応する前記アップリンク制御チャネルに用いられる前記リソースを確定するステップと、
前記アップリンク制御チャネルに用いられる前記リソースを利用してサウンディング参照信号を伝送するステップとを含むサウンディング参照信号の伝送方法。
【請求項２】
前記アップリンク伝送チャネルがスケジューリングされると、該アップリンク伝送チャネルの前記スケジューリング情報を取得するステップは、
前記アップリンク伝送チャネルがスケジューリングされると、該アップリンク伝送チャネルの前記スケジューリング情報を基地局から取得することを含む請求項１に記載のサウンディング参照信号の伝送方法。
【請求項３】
前記アップリンク伝送チャネルの前記スケジューリング情報と、前記アップリンク制御信号伝送用の前記アップリンク制御チャネルに用いられる前記リソースとの所定の前記マッピング関係に基づいて、前記アップリンク伝送チャネルの前記スケジューリング情報に対応する前記アップリンク制御チャネルに用いられる前記リソースを確定するステップは、
前記アップリンク伝送チャネルの前記スケジューリング情報と、前記アップリンク制御信号伝送用の前記アップリンク制御チャネルに用いられる前記リソースとの所定の前記マッピング関係から、前記アップリンク伝送チャネルの前記スケジューリング情報に対応するスケジューリングされない前記アップリンク制御チャネルに用いられるリソースを確定するステップを含む請求項１に記載のサウンディング参照信号の伝送方法。
【請求項４】
前記スケジューリング情報は、
前記アップリンク伝送チャネルのアップリンクグラントに付帯される制御チャネル要素番号または拡張制御チャネル要素番号、スケジューリングされる前記アップリンク伝送チャネルが占用する周波数領域リソース番号、スケジューリングされる前記アップリンク伝送チャネルが占用するシーケンス番号およびサイクリックシフト番号、および、スケジューリングされる前記アップリンク伝送チャネルが占用する直交カバーコードシーケンス番号のうちの少なくとも１つを含み、
前記マッピング関係は、
前記アップリンク伝送チャネルの前記スケジューリング情報と、前記アップリンク制御チャネルに用いられる前記リソースの番号とのマッピング関係を含む請求項１に記載のサウンディング参照信号の伝送方法。
【請求項５】
前記前記アップリンク制御チャネルに用いられる前記リソースを利用して前記サウンディング参照信号を伝送するステップは、
異なる時間領域リソースシンボルで、異なる周波数領域リソースを占用する方式で、前記アップリンク制御チャネルに用いられる前記リソースによって前記サウンディング参照信号を基地局に伝送するステップを含む請求項１に記載のサウンディング参照信号の伝送方法。
【請求項６】
異なる時間領域リソースシンボルで、異なる周波数領域リソースを占用する方式で、前記アップリンク制御チャネルに用いられる前記リソースによって前記サウンディング参照信号を前記基地局に伝送するステップは、
周波数領域リソース位置でのサイクリックシフトにしたがって、前記サウンディング参照信号を、異なる時間領域リソースで、異なる周波数領域リソースにマッピングして前記基地局に伝送するステップを含み、
ここで、前記周波数領域リソース位置での前記サイクリックシフトは、前記アップリンク制御チャネルに用いられる前記リソースの時間領域リソースシンボル数、および、同一時間領域リソースで前記サウンディング参照信号により占用される周波数領域リソースの周波数間隔によって決められる請求項５に記載のサウンディング参照信号の伝送方法。
【請求項７】
前記周波数領域リソース位置での前記サイクリックシフトにしたがって、前記サウンディング参照信号を、異なる時間領域リソースで、異なる周波数領域リソースにマッピングして前記基地局に伝送するステップは、
前記アップリンク制御チャネルに用いられる前記リソースがＮ（正整数）個の時間領域リソースシンボルを占用し、１つの時間領域リソースシンボルでＭ（正整数）個のインタリービングユニットを占用すると、前記サウンディング参照信号のＮ個の時間領域リソースシンボルのうちの異なる時間領域リソースシンボルが、それぞれ異なるＭ個のインタリービングユニットを占用するように指示することと、
前記サウンディング参照信号を、前記アップリンク制御チャネルに用いられる前記リソースにマッピングして前記基地局に伝送するステップとを含み、
ここで、Ｎ個の時間領域リソースシンボルが占用する全ての前記周波数領域リソース位置で、周波数領域で隣接も連続もしないインタリービングユニットの物理リソースブロックの間の周波数間隔は、前記周波数領域リソース位置の前記サイクリックシフトによって決められる請求項６に記載のサウンディング参照信号の伝送方法。
【請求項８】
前記周波数領域リソース位置での前記サイクリックシフトにしたがって、前記サウンディング参照信号を、異なる時間領域リソースで、異なる周波数領域リソースにマッピングして前記基地局に伝送するステップは、
前記アップリンク制御チャネルに用いられる前記リソースがＮ（正整数）個の時間領域リソースシンボルを占用し、１つの時間領域リソースシンボル内でＭ（正整数）個のインタリービングユニットを占用すると、前記サウンディング参照信号のＬ（正整数）個毎の隣接するリソースシンボルが、一つのグループとして同一のインタリービングユニットを占用するように指示し、時間領域直交符号分割を行うことと、
前記サウンディング参照信号を、前記アップリンク制御チャネルに用いられる前記リソースにマッピングして前記基地局に伝送することとを含み、
ここで、異なるグループの時間領域リソースシンボルが占用するインタリービングユニットの周波数が異なり、かつＮ個の時間領域リソースシンボルが占用する全ての前記周波数領域リソース位置で、周波数領域で隣接も連続もしないインタリービングユニットの物理リソースブロックの間の周波数間隔は、前記周波数領域リソース位置での前記サイクリックシフトによって決められる請求項６に記載のサウンディング参照信号の伝送方法。
【請求項９】
前記周波数領域リソース位置での前記サイクリックシフトにしたがって、前記サウンディング参照信号を、異なる時間領域リソースで、異なる周波数領域リソースにマッピングして前記基地局に伝送するステップは、
前記アップリンク制御チャネルに用いられる前記リソースがＮ（正整数）個の時間領域リソースシンボルを占用すると、前記サウンディング参照信号の各時間領域リソースシンボルが、いずれも周波数領域で連続する割り当てられないＭ（正整数）個のインタリービングユニットからなる異なる組み合わせを占用するように指示することと、
前記サウンディング参照信号を、前記アップリンク制御チャネルに用いられる前記リソースにマッピングして前記基地局に伝送することとを含み、
ここで、Ｎ個の時間領域リソースシンボルが占用する全ての前記周波数領域リソース位置で、周波数領域で隣接も連続もしないインタリービングユニットの組み合わせの物理リソースブロックの間の周波数間隔は、前記周波数領域リソース位置での前記サイクリックシフトによって決められる請求項６に記載のサウンディング参照信号の伝送方法。
【請求項１０】
前記周波数領域リソース位置での前記サイクリックシフトにしたがって、前記サウンディング参照信号を、異なる時間領域リソースで、異なる周波数領域リソースにマッピングして前記基地局に伝送するステップは、
前記アップリンク制御チャネルに用いられる前記リソースがＮ（正整数）個の時間領域リソースシンボルを占用すると、前記サウンディング参照信号のＮ個の時間領域リソースシンボルの異なる時間領域リソースシンボルが、他のチャネルに割り当てられないＭ（正整数）個の異なるインタリービングユニットを占用するように指示することと、
前記サウンディング参照信号を、前記アップリンク制御チャネルに用いられる前記リソースにマッピングして前記基地局に伝送することとを含み、
ここで、Ｎ個の時間領域リソースシンボルが占用する全ての前記周波数領域リソース位置で、周波数領域で隣接も連続もしないインタリービングユニットの物理リソースブロックの間の周波数間隔は、前記周波数領域リソース位置での前記サイクリックシフトによって決められる請求項６に記載のサウンディング参照信号の伝送方法。
【請求項１１】
前記アップリンク伝送チャネルは、物理アップリンクシェアドチャネルまたは拡張物理アップリンク制御チャネルであり、前記アップリンク制御チャネルは、ＭＦ‐ｓＰＵＣＣＨである請求項７から請求項１０のいずれかに記載のサウンディング参照信号の伝送方法。
【請求項１２】
前記アップリンク伝送チャネルの前記スケジューリング情報と、前記アップリンク制御信号伝送用の前記アップリンク制御チャネルに用いられる前記リソースとの所定の前記マッピング関係は、
前記アップリンク伝送チャネルの前記スケジューリング情報と、前記アップリンク制御信号伝送用の前記アップリンク制御チャネルに用いられる全ての前記リソースとの所定の前記マッピング関係、または、前記アップリンク伝送チャネルの前記スケジューリング情報と、前記アップリンク制御信号伝送用の前記アップリンク制御チャネルに用いられるスケジューリングされない前記リソースとの所定の前記マッピング関係を含む請求項１に記載のサウンディング参照信号の伝送方法。
【請求項１３】
前記アップリンク伝送チャネルの前記スケジューリング情報と、前記アップリンク制御信号伝送用の前記アップリンク制御チャネルに用いられる前記リソースとの所定の前記マッピング関係から、スケジューリングされる前記アップリンク伝送チャネルの前記スケジューリング情報に対応するスケジューリングされない前記アップリンク制御チャネルに用いられる前記リソースを確定するステップは、
基地局から、無線リソース制御で配置され、またはコモン物理ダウンリンクコモンチャネルで指示されるスケジューリングされる前記リソースとスケジューリングされない前記リソースの区分情報を取得することと、
該区分情報、前記スケジューリング情報、および、前記アップリンク伝送チャネルの前記スケジューリング情報と前記アップリンク制御信号伝送用の前記アップリンク制御チャネルに用いられる前記リソースとの所定の前記マッピング関係に基づいて、スケジューリングされる前記アップリンク伝送チャネルの前記スケジューリング情報に対応するスケジューリングされない前記アップリンク制御チャネルに用いられる前記リソースを確定することを含む請求項３に記載のサウンディング参照信号の伝送方法。
【請求項１４】
前記アップリンク伝送チャネルがスケジューリングされると、該アップリンク伝送チャネルの前記スケジューリング情報を取得するステップに先立って、リスンビフォートークのモニタリングメカニズムを実行することをさらに含む請求項１から請求項１３のいずれかに記載のサウンディング参照信号の伝送方法。
【請求項１５】
前記アップリンク制御チャネルが、ＭＦ‐ｓＰＵＣＣＨである請求項１から請求項１３のいずれかに記載のサウンディング参照信号の伝送方法。
【請求項１６】
アップリンク伝送チャネルがスケジューリングされると、該アップリンク伝送チャネルのスケジューリング情報を取得するステップと、
前記スケジューリング情報に基づいて、対応するアップリンク制御チャネルを確定するステップと、
該アップリンク制御チャネルを利用してサウンディング参照信号を伝送するステップとを含むサウンディング参照信号の伝送方法。
【請求項１７】
前記アップリンク制御チャネルを利用して前記サウンディング参照信号を伝送するステップは、
ダウンリンク制御情報に基づき、前記アップリンク制御チャネルの後に隣接する前記アップリンク伝送チャネルのみでアップリンクスケジューリング伝送が行われると、前記アップリンク制御チャネルで前記サウンディング参照信号を伝送するステップを含む請求項１６に記載のサウンディング参照信号の伝送方法。
【請求項１８】
前記アップリンク制御チャネルの後に隣接する前記アップリンク伝送チャネルのみで前記アップリンクスケジューリング伝送が行われると、前記アップリンク制御チャネルで前記サウンディング参照信号を伝送するステップは、
サブフレームｎ−１に前記アップリンク制御チャネルが存在するものの、該アップリンク制御チャネルの存在するサブフレームでアップリンク制御情報が伝送されないと検出し、サブフレームｎの開始位置から前記アップリンク伝送チャネルをスケジューリングするための前記ダウンリンク制御情報を、サブフレームｎ−４以前のサブフレームで受信すると、サブフレームｎ−１で前記アップリンク制御チャネルを利用して前記サウンディング参照信号の伝送を開始することを含む請求項１７に記載のサウンディング参照信号の伝送方法。
【請求項１９】
前記アップリンク制御チャネルが、ＭＦ‐ｓＰＵＣＣＨである請求項１６から請求項１８のいずれかに記載のサウンディング参照信号の伝送方法。
【請求項２０】
前記アップリンク伝送チャネルがスケジューリングされると、該アップリンク伝送チャネルの前記スケジューリング情報を取得するステップに先立って、リスンビフォートークのモニタリングメカニズムを実行することをさらに含む請求項１６から請求項１８のいずれかに記載のサウンディング参照信号の伝送方法。
【請求項２１】
アップリンク伝送チャネルがスケジューリングされると、該アップリンク伝送チャネルのスケジューリング情報を取得することに用いられる取得モジュールと、
前記アップリンク伝送チャネルの前記スケジューリング情報と、アップリンク制御信号伝送用のアップリンク制御チャネルに用いられるリソースとの所定のマッピング関係に基づいて、前記アップリンク伝送チャネルの前記スケジューリング情報に対応する前記アップリンク制御チャネルに用いられる前記リソースを確定することに用いられる処理モジュールと、
前記アップリンク制御チャネルに用いられる前記リソースを利用してサウンディング参照信号を伝送することに用いられる送信モジュールとを備えるサウンディング参照信号の伝送装置。
【請求項２２】
アップリンク伝送チャネルがスケジューリングされると、該アップリンク伝送チャネルのスケジューリング情報を受信することに用いられる受信機と、
前記アップリンク伝送チャネルの前記スケジューリング情報と、アップリンク制御信号伝送用のアップリンク制御チャネルに用いられるリソースとの所定のマッピング関係に基づいて、前記アップリンク伝送チャネルの前記スケジューリング情報に対応する前記アップリンク制御チャネルに用いられる前記リソースを確定することに用いられ、前記受信機に接続されるプロセッサと、
前記アップリンク制御チャネルに用いられる前記リソースを利用してサウンディング参照信号を伝送することに用いられ、前記プロセッサに接続される送信機とを備える端末。
【請求項２３】
プロセッサと、
該プロセッサに実行されることのできるコンピュータ読取可能な指令が記憶されているメモリとを備えるサウンディング参照信号の伝送装置において、
前記コンピュータ読取可能な指令が実行されると、前記プロセッサは、
アップリンク伝送チャネルがスケジューリングされると、該アップリンク伝送チャネルのスケジューリング情報を取得することと、
前記アップリンク伝送チャネルの前記スケジューリング情報と、アップリンク制御信号伝送用のアップリンク制御チャネルに用いられるリソースとの所定のマッピング関係に基づいて、前記アップリンク伝送チャネルの前記スケジューリング情報に対応する前記アップリンク制御チャネルに用いられる前記リソースを確定することと、
前記アップリンク制御チャネルに用いられる前記リソースを利用してサウンディング参照信号を伝送することとを実行するサウンディング参照信号の伝送装置。
【請求項２４】
プロセッサと、
該プロセッサに実行されることのできる指令が記憶されているメモリとを備えるサウンディング参照信号の伝送チップにおいて、
前記指令が実行されると、前記プロセッサは、
アップリンク伝送チャネルがスケジューリングされると、該アップリンク伝送チャネルのスケジューリング情報を取得することと、
前記アップリンク伝送チャネルの前記スケジューリング情報と、アップリンク制御信号伝送用のアップリンク制御チャネルに用いられるリソースとの所定のマッピング関係に基づいて、前記アップリンク伝送チャネルの前記スケジューリング情報に対応する前記アップリンク制御チャネルに用いられる前記リソースを確定することと、
前記アップリンク制御チャネルに用いられる前記リソースを利用してサウンディング参照信号を伝送することとを実行するサウンディング参照信号の伝送チップ。
【請求項２５】
サウンディング参照信号の伝送チップを含む端末であって、
前記伝送チップは、
プロセッサと、
該プロセッサに実行されることのできる指令が記憶されているメモリとを備え、
前記指令が実行されると、前記プロセッサは、
アップリンク伝送チャネルがスケジューリングされると、該アップリンク伝送チャネルのスケジューリング情報を取得することと、
前記アップリンク伝送チャネルの前記スケジューリング情報と、アップリンク制御信号伝送用のアップリンク制御チャネルに用いられるリソースとの所定のマッピング関係に基づいて、前記アップリンク伝送チャネルの前記スケジューリング情報に対応する前記アップリンク制御チャネルに用いられる前記リソースを確定することと、
前記アップリンク制御チャネルに用いられる前記リソースを利用してサウンディング参照信号を伝送することとを実行する端末。
【請求項２６】
プロセッサと、
該プロセッサに実行されることのできる指令が記憶されているメモリとを備えるサウンディング参照信号の伝送チップにおいて、
前記指令が実行されると、前記プロセッサは、
アップリンク伝送チャネルがスケジューリングされると、該アップリンク伝送チャネルのスケジューリング情報を取得することと、
前記スケジューリング情報に基づいて、対応するアップリンク制御チャネルを確定することと、
該アップリンク制御チャネルを利用してサウンディング参照信号を伝送することとを実行するサウンディング参照信号の伝送チップ。
【請求項２７】
サウンディング参照信号の伝送チップを含む端末であって、
前記伝送チップは、
プロセッサと、
該プロセッサに実行されることのできる指令が記憶されているメモリとを備え、
前記指令が実行されると、前記プロセッサは、
アップリンク伝送チャネルがスケジューリングされると、該アップリンク伝送チャネルのスケジューリング情報を取得することと、
該スケジューリング情報に基づいて、対応するアップリンク制御チャネルを確定することと、
該アップリンク制御チャネルを利用してサウンディング参照信号を伝送することとを実行する端末。
【発明の詳細な説明】
【優先権情報】
【０００１】
本願は、２０１６年２月２６日に中国特許庁に提出された中国特許出願２０１６１０１０９１９６．７の優先権を主張し、その全ての内容が援用により本願に取り込まれる。
【技術分野】
【０００２】
本発明は、通信技術分野に関し、特にサウンディング参照信号の伝送方法、装置、チップおよび端末に関するものである。
【背景技術】
【０００３】
移動通信は、第１世代、第２世代、第３世代、第４世代を経ている。第１世代の移動通信とは、最初のアナログで音声通話のみのセルラー電話規格であり、主にアナログ技術と周波数分割多元接続（ＦＤＭＡ：Ｆｒｅｑｕｅｎｃｙ  Ｄｉｖｉｓｉｏｎ  Ｍｕｌｔｉｐｌｅ  Ａｃｃｅｓｓ）のアクセス方法が用いられた。第２世代の移動通信は、デジタル技術の導入によって、ネットワーク容量が向上され、音声の品質と秘密性が改善され、「ＧＳＭ（登録商標）」（Ｇｌｏｂａｌ  Ｓｙｓｔｅｍ  ｆｏｒ  Ｍｏｂｉｌｅ  Ｃｏｍｍｕｎｉｃａｔｉｏｎ）と「符号分割多元接続」（ＣＤＭＡ  ＩＳ‐９５，Ｃｏｄｅ  Ｄｉｖｉｓｉｏｎ  Ｍｕｌｔｉｐｌｅ  Ａｃｃｅｓｓ）がその代表である。第３世代の移動通信は、主にＣＤＭＡ２０００、ＷＣＤＭＡ（登録商標）、ＴＤ‐ＳＣＤＭＡの３種類の技術であり、いずれも符号分割多元接続をアクセス技術としている。第４世代の移動通信システムは、３ＧＰＰが策定したＬＴＥ／ＬＴＥ‐Ａ（Ｌｏｎｇ  Ｔｅｒｍ  Ｅｖｏｌｕｔｉｏｎ／Ｌｏｎｇ  Ｔｅｒｍ  Ｅｖｏｌｕｔｉｏｎ‐Ａｄｖａｎｃｅｄ）アクセス技術であり、その規格が国際的に相対的に統一されている。ＬＴＥ／ＬＴＥ‐Ａのダウンリンクでは直交周波数分割多元接続（ＯＦＤＭＡ：Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）、アップリンクではシングルキャリアＦＤＭＡ（ＳＣ‐ＦＤＭＡ：Ｓｉｎｇｌｅ  Ｃａｒｒｉｅｒ  ‐  Ｆｒｅｑｕｅｎｃｙ  Ｄｉｖｉｓｉｏｎ  Ｍｕｌｔｉｐｌｅ  Ａｃｃｅｓｓ）のアクセス方式に基づき、順応的な帯域幅と適応的な変調符号化方式によってダウンリンクピークレート１Ｇｂｐｓ、アップリンクピークレート５００Ｍｂｐｓの高速伝送が達成される。
【０００４】
ＭｕｌｔｅＦｉｒｅ（ＭＦ）ネットワークは、ＬＴＥに基づく新規のネットワークであり、ライセンススペクトルにおける「アンカー」の存在を必要とせずに、アンライセンススペクトルで独立に運用することができ、ＬＴＥ  Ｒ１３  ＬＡＡ（Ｌｉｃｅｎｓｅｄ‐Ａｓｓｉｓｔｅｄ  Ａｃｃｅｓｓ；ライセンス補助アクセス）ダウンリンク伝送方法を基に新しく定義されるアップリンク伝送方法であり、すなわち、ｓｔａｎｄ−ａｌｏｎｅ  ＬＴＥ‐Ｕ（独立ＬＴＥ‐Ｕ）である。ＭｕＬＴＥｆｉｒｅのアップリンク多重化において、アンライセンスバンドの帯域幅が占用する地域標準要件を満たすために、従来のＬＴＥのアップリンクＳＣ‐ＦＤＭＡとは異なるＢ‐ＩＦＤＭＡ（ｂｌｏｃｋ‐ｉｎｔｅｒｌｅａｖｅｄ  ｆｒｅｑｕｅｎｃｙ  ｄｉｖｉｓｉｏｎ  ｍｕｌｔｉｐｌｅ  ａｃｃｅｓｓ）方式が用いられ、しかも、アップリンク物理チャネルに拡張物理アップリンク制御チャネル（ＭＦ‐ｅＰＵＣＣＨ：ＭＦ  Ｅｘｔｅｎｄｅｄ  Ｐｈｙｓｉｃａｌ  Ｕｐｌｉｎｋ  Ｃｏｎｔｒｏｌ  Ｃｈａｎｎｅｌ）とＭＦ‐ｓＰＵＣＣＨ（ＭＦ  Ｓｈｏｒｔ  Ｐｈｙｓｉｃａｌ  Ｕｐｌｉｎｋ  Ｃｏｎｔｒｏｌ  Ｃｈａｎｎｅｌ）が導入され、例えばＡＣＫ／ＮＡＣＫ（応答／否定応答）、ＣＳＩ（チャネル状態情報；Ｃｈａｎｎｅｌ  Ｓｔａｔｅ  Ｉｎｆｏｒｍａｔｉｏｎ）、ＳＲ（アップリンクスケジューリング要求；Ｓｃｈｅｄｕｌｉｎｇ  Ｒｅｑｕｅｓｔ）など、従来のＬＴＥで物理アップリンク制御チャネル（ＰＵＣＣＨ：Ｐｈｙｓｉｃａｌ  Ｕｐｌｉｎｋ  Ｃｏｎｔｒｏｌ  Ｃｈａｎｎｅｌ）によって伝送されるアップリンク制御情報（ＵＣＩ：Ｕｐｌｉｎｋ  Ｃｏｎｔｒｏｌ  Ｉｎｆｏｒｍａｔｉｏｎ）を伝送する。
【０００５】
ＭＦネットワークは、同様に、ＰＵＣＣＨと同一の物理チャネルフォーマットで、サウンディング参照信号（ＳＲＳ：Ｓｏｕｎｄｉｎｇ  Ｒｅｆｅｒｅｎｃｅ  Ｓｉｇｎａｌ）、物理ランダムアクセスチャネル（ＰＲＡＣＨ：Ｐｈｙｓｉｃａｌ  Ｒａｎｄｏｍ  Ａｃｃｅｓｓ  Ｃｈａｎｎｅｌ）などのアップリンク物理チャネル情報を伝送することもできる。
【０００６】
アップリンク制御チャネルのＭＦ‐ｅＰＵＣＣＨは、時間領域で１４個のＢ‐ＩＦＤＭＡシンボルからなる１つのサブフレームを占用するが、ＭＦ‐ｓＰＵＣＣＨは、時間領域で１個から４個のＢ‐ＩＦＤＭＡシンボルしか占用しない。
【０００７】
ＭＦ‐ｓＰＵＣＣＨは、例えば主にＲＡＣＨ（アップリンクランダムアクセスチャネル；Ｒａｎｄｏｍ  Ａｃｃｅｓｓ  Ｃｈａｎｎｅｌ）を送信してランダムアクセスを行うように周期的に単独で送信されてもよく、伝送機会（ＴＸＯＰ：Ｔｒａｎｓｍｉｓｓｉｏｎ  Ｏｐｐｏｒｔｕｎｉｔｙ）のうち、ＤＬ‐ＵＬ切り替えが伝送されるサブフレームで伝送されてもよく、すなわちＭＦ‐ｓＰＵＣＣＨ領域がアップリンク伝送の先頭部分で伝送される。ただし、ＭＦ‐ｓＰＵＣＣＨ領域に関し、例えばアップリンク部分サブフレーム、アップリンク部分ＴＴＩ、ＵｐＰＴＳなど、同等効果の呼称があるが、記載を簡単化するために、本発明では統一してＭＦ‐ｓＰＵＣＣＨ領域という表現を使用する。
【０００８】
データ伝送機会（ＴＸＯＰ）でのＭＦ‐ｓＰＵＣＣＨとその直後のアップリンクサブフレームのＰＵＳＣＨ（物理アップリンクシェアドチャネル；Ｐｈｙｓｉｃａｌ  Ｕｐｌｉｎｋ  Ｓｈａｒｅｄ  Ｃｈａｎｎｅｌ）／ＭＦ‐ｅＰＵＣＣＨとの間に隙間が存在しない。すなわち、ユーザ端末（ＵＥ：Ｕｓｅｒ  Ｅｑｕｉｐｍｅｎｔ）が同時にＭＦ‐ｓＰＵＣＣＨとその後に隣接するＰＵＳＣＨ／ＭＦ‐ｅＰＵＣＣＨでのアップリンク信号伝送をスケジューリングすると、ＵＥのリスンビフォートーク（ＬＢＴ：Ｌｉｓｔｅｎ  Ｂｅｆｏｒｅ  Ｔａｌｋ）のモニタリングメカニズムがＭＦ‐ｓＰＵＣＣＨに先立って行われる。ＵＥがＭＦ‐ｓＰＵＣＣＨの後に隣接するＰＵＳＣＨ／ＭＦ‐ｅＰＵＣＣＨのみでのアップリンク信号伝送をスケジューリングする一方、ＭＦ‐ｓＰＵＣＣＨでの伝送をスケジューリングしない場合、ＵＥのＬＢＴがＭＦ‐ｓＰＵＣＣＨ領域前に行われる必要があり、そしてＭＦ‐ｓＰＵＣＣＨ領域での特定信号（例えばＳＲＳまたは他の信号など）の伝送によって、ＬＢＴの成功から、スケジューリングされるＰＵＳＣＨ／ＭＦ‐ｅＰＵＣＣＨまでの時間で、チャネルが継続的に占用されることを保証する。ここで、ＳＲＳは、アップリンクチャネルの周波数領域情報を推定して周波数の選択的スケジューリングを行い、アップリンクチャネルを推定してダウンリンクビームフォーミングを行う。
【０００９】
上記のＰＵＳＣＨ／ＭＦ‐ｅＰＵＣＣＨのみでの伝送をスケジューリングするＵＥの場合、ＭＦ‐ｓＰＵＣＣＨ領域で伝送される信号のリソースは、ｅＮＢ（ｅｖｏｌｖｅｄ  Ｎｏｄｅ  Ｂ；進化型基地局）からスケジューリングされなくてもよく、ＵＥが自ら選択したＭＦ‐ｓＰＵＣＣＨ領域内のリソースで伝送される。したがって、同一ＭＦ‐ｓＰＵＣＣＨ領域内のリソースは、異なるＵＥに選択される可能性がある。すると、ＵＥ同士のリソースコリジョンが生じてしまい、最悪な結果として、スケジューリングされるＭＦ‐ｓＰＵＣＣＨとのコリジョンによってＵＣＩなどの情報の正しい受信に影響を与える。
【００１０】
ＭＦ‐ｓＰＵＣＣＨ領域のリソースを区分することによって、スケジューリングされるＭＦ‐ｓＰＵＣＣＨとスケジューリングされない信号のコリジョン問題が解決できるものの、従来技術ではスケジューリングされないＭＦ‐ｓＰＵＣＣＨ領域内のコリジョン問題が相変わらず避けられず、スケジューリングされないＭＦ‐ｓＰＵＣＣＨ領域で伝送される信号が信頼できないことを、発明者が本発明を実現する過程で発見した。例えばＳＲＳ伝送の場合、コリジョンの存在により、基地局のチャネル推定が間違ってしまい、後のアップリンクスケジューリング性能に影響を与える。この部分の信号情報を無視すれば、この部分の送信パワーとスペクトルリソースとを無駄にすることと同じである。
【００１１】
また、ＭＦ‐ｓＰＵＣＣＨと同一のＢ‐ＩＦＤＭＡでＳＲＳを伝送する場合、Ｂ‐ＩＦＤＭＡの周波数領域リソース割当特性によって、ＭＦ‐ｓＰＵＣＣＨで送信されるＳＲＳと、その直後に隣接するＰＵＳＣＨ／ＭＦ‐ｅＰＵＣＣＨで送信されるＤＭＲＳ（アップリンク制御とデータチャネルの関連復調に用いる。）は、共に全体システム帯域幅内の周波数領域で均一に分布する。したがって、従来のＬＴＥのアップリンクでＳＣ−ＯＦＤＭＡに基づく周波数領域リソース割当方式より、全体システム帯域幅チャネル内のチャネル品質推定に対するＳＲＳの貢献度は、遥かに小さい。したがって、ＳＲＳによるシステム帯域幅内のチャネル品質推定の推定精度を向上させることは、解決が急がれる問題でもある。
【発明の概要】
【発明が解決しようとする課題】
【００１２】
本発明は、サウンディング参照信号の伝送方法、装置および端末を提供し、スケジューリングされないＭＦ‐ｓＰＵＣＣＨ領域内のリソースコリジョンという従来技術の問題を解決する。
【課題を解決するための手段】
【００１３】
本発明の一態様において、サウンディング参照信号の伝送方法が提供される。当該方法は、スケジューリングされるアップリンク伝送チャネルのスケジューリング情報を取得することと、前記アップリンク伝送チャネルの前記スケジューリング情報と、アップリンク制御信号伝送用のアップリンク制御チャネルに用いられるリソースとの所定のマッピング関係に基づいて、スケジューリングされる前記アップリンク伝送チャネルの前記スケジューリング情報に対応する前記アップリンク制御チャネルに用いられる前記リソースを確定することと、前記アップリンク制御チャネルに用いられる前記リソースを利用してサウンディング参照信号ＳＲＳを伝送することとを含む。
【００１４】
本発明の他の態様において、サウンディング参照信号の伝送装置が提供される。当該装置は、スケジューリングされるアップリンク伝送チャネルのスケジューリング情報を取得することに用いられる取得モジュールと、前記アップリンク伝送チャネルの前記スケジューリング情報と、アップリンク制御信号伝送用のアップリンク制御チャネルに用いられるリソースとの所定のマッピング関係に基づいて、スケジューリングされる前記アップリンク伝送チャネルの前記スケジューリング情報に対応する前記アップリンク制御チャネルに用いられる前記リソースを確定することに用いられる処理モジュールと、前記アップリンク制御チャネルに用いられる前記リソースを利用してサウンディング参照信号ＳＲＳを伝送することに用いられる送信モジュールとを備える。
【００１５】
本発明の他の態様において、端末が提供される。当該端末は、スケジューリングされるアップリンク伝送チャネルのスケジューリング情報を受信することに用いられる受信機と、前記アップリンク伝送チャネルの前記スケジューリング情報と、アップリンク制御信号伝送用のアップリンク制御チャネルに用いられるリソースとの所定のマッピング関係に基づいて、スケジューリングされる前記アップリンク伝送チャネルの前記スケジューリング情報に対応する前記アップリンク制御チャネルに用いられる前記リソースを確定する機能を実用することに用いられ、前記受信機に接続されるプロセッサと、前記アップリンク制御チャネルに用いられる前記リソースを利用してサウンディング参照信号ＳＲＳを伝送することに用いられ、前記プロセッサに接続される送信機とを備える。
【発明の効果】
【００１６】
本発明によるサウンディング参照信号の伝送方法、装置および端末において、アップリンク伝送チャネルのスケジューリング情報と、アップリンク制御チャネルに用いられるリソースとの所定のマッピング関係に基づいて、スケジューリングされないアップリンク制御チャネルのリソース位置を確定することによって、アップリンク制御リソースが異なるユーザ端末に占用されるコリジョン問題を低減又は回避することができる。
【図面の簡単な説明】
【００１７】
【図１】移動通信ネットワークの基本的アーキテクチャーの概略図である。
【図２】アップリンクチャネルの周波数領域リソース割当の概略図である。
【図３】データ伝送機会の伝送概略図である。
【図４】本発明の一部の実施例のサウンディング参照信号の伝送方法のフローチャートである。
【図５】本発明の一部の実施例のサウンディング参照信号の伝送方法のフローチャートである。
【図６】本発明の一部の実施例のサウンディング参照信号の伝送方法のフローチャートである。
【図７】本発明の一部の実施例のサウンディング参照信号の伝送方法のフローチャートである。
【図８】本発明の一部の実施例のシチュエーション１でのＳＲＳのリソースマッピング概略図である。
【図９】本発明の一部の実施例のシチュエーション２でのＳＲＳのリソースマッピング概略図である。
【図１０】本発明の一部の実施例のシチュエーション３でのＳＲＳのリソースマッピング概略図である。
【図１１】本発明の一部の実施例のシチュエーション４でのＳＲＳのリソースマッピング概略図である。
【図１２】本発明の一部の実施例のサウンディング参照信号の伝送装置のモジュールブロック図である。
【図１３】本発明の一部の実施例の端末の構造ブロック図である。
【図１４】本発明の一部の実施例のサウンディング参照信号の伝送方法のフローチャートである。
【図１５】本発明の一部の実施例のサウンディング参照信号の伝送方法のフローチャートである。
【図１６】本発明の一部の実施例のサウンディング参照信号の伝送方法のフローチャートである。
【図１７】本発明の一部の実施例のＳＲＳのリソースマッピング概略図である。
【図１８】本発明の一部の実施例のサウンディング参照信号の伝送装置のモジュールブロック図である。
【図１９】本発明の一部の実施例の端末の構造ブロック図である。
【図２０】本発明の一部の実施例のサウンディング参照信号の伝送方法またはサウンディング参照信号の伝送装置を実現することに好適なコンピュータシステムの構造概略図である。
【発明を実施するための形態】
【００１８】
以下、添付図面を参照して本発明の例示的な実施例をさらに詳細に記載する。本発明の例示的な実施例を図面に示しているが、本発明は、ここで説明した実施例に限定されることなく様々な形態で実現されうることが理解されるべきである。これらの実施例を示すことは、本発明をより徹底的に理解してもらい、本発明の範囲を当業者に全面的に伝えるためである。
【００１９】
本発明は、関連技術のＭＦネットワークにおいて、ＰＵＳＣＨ／ＭＦ‐ｅＰＵＣＣＨのみでの伝送をスケジューリングするＵＥが自ら選択したＭＦ‐ｓＰＵＣＣＨ領域内のリソースでアップリンク制御信号を伝送するため、同一ＭＦ‐ｓＰＵＣＣＨ領域内のリソースが異なるＵＥにより選択されうるため、リソースコリジョン問題が生じてしまうという問題に対するものである。本発明の下記実施例としては、サウンディング参照信号の伝送方法、装置および端末を提供し、アップリンク伝送チャネルのスケジューリング情報と、アップリンク制御チャネルに用いられるリソースとの所定のマッピング関係に基づいて、スケジューリングされないアップリンク制御チャネルのリソース位置を確定することによって、アップリンク制御リソースが異なるユーザ端末に占用されるコリジョン問題を低減又は回避する。
【００２０】
図１は、移動通信ネットワークの基本的アーキテクチャーの概略図である。移動通信システムは、プロバイダが無線アクセスネットワーク機器（例えば基地局）とコアネットワーク機器（例えばＨＬＲ：Ｈｏｍｅ  Ｌｏｃａｔｉｏｎ  Ｒｅｇｉｓｔｅｒ）などを配置することによって、ユーザ端末（例えば携帯電話などの移動端末）に通信サービスを提供するシステムである。
【００２１】
図２には、アップリンクチャネル（物理アップリンク制御チャネルおよび／または物理アップリンクシェアドチャネルを含む）の周波数領域リソース割当方式Ｂ‐ＩＦＤＭＡが示されている。２０ＭＨｚの帯域幅で１０個のインタリービングユニット（ｉｎｔｅｒｌａｃｅ）を有し、各インタリービングユニットの大きさは、周波数領域で等間隔の１０個の物理リソースブロック（ＰＲＢ：Ｐｈｙｓｉｃａｌ  Ｒｅｓｏｕｒｃｅ  Ｂｌｏｃｋ）である。例えば番号０のインタリービングユニットは、図中の斜線付きの１０個のＰＲＢに対応する。
【００２２】
図３に示されるように、ＭＦ‐ｓＰＵＣＣＨは、伝送機会（ＴＸＯＰ：Ｔｒａｎｓｍｉｓｓｉｏｎ  Ｏｐｐｏｒｔｕｎｉｔｙ）のうち、ＤＬ−ＵＬ切り替えが伝送されるサブフレームで伝送される。すなわち、ＭＦ‐ｓＰＵＣＣＨ領域は、アップリンク伝送の先頭部分で伝送される。
【００２３】
図４に示されるように、本発明の一部の実施例によるサウンディング参照信号の伝送方法は、具体的に下記ステップを含む。
【００２４】
ステップ４１において、アップリンク伝送チャネルがスケジューリングされると、アップリンク伝送チャネルのスケジューリング情報を取得する。
【００２５】
ここで、当該アップリンク伝送チャネルは、例えばＰＵＳＣＨのような、アップリンクデータ信号を伝送するアップリンク伝送チャネルであってもよく、例えばＭＦ‐ｅＰＵＣＣＨまたはＭＦ‐ｓＰＵＣＣＨのような、制御信号を伝送するアップリンク伝送チャネルであってもよい。アップリンク伝送チャネルがスケジューリングされると、アップリンク伝送チャネルのスケジューリング情報には、アップリンク伝送チャネルが占用するリソース位置の番号などのリソース位置の情報が付帯される。ここで、ＵＥは、アップリンクデータ信号伝送用のアップリンク伝送チャネルがスケジューリングされる際のスケジューリング情報を直接基地局から受信してもよく、スケジューリングされるアップリンク伝送チャネルのチャネル情報を自ら解析することによってそのスケジューリング情報を得てもよい。
【００２６】
ステップ４２において、アップリンク伝送チャネルのスケジューリング情報と、アップリンク制御信号伝送用のアップリンク制御チャネルに用いられるリソースとの所定のマッピング関係に基づいて、アップリンク伝送チャネルのスケジューリング情報に対応するアップリンク制御チャネルに用いられるリソースを確定する。
【００２７】
ここで説明するアップリンク伝送チャネルのスケジューリング情報と、アップリンク制御信号伝送用のアップリンク制御チャネルに用いられるリソースとの所定のマッピング関係とは、アップリンク伝送チャネルに用いられるリソースのＩＤと、アップリンク制御チャネルに用いられるリソースのＩＤとはマッピング関係が存在することを指す。具体的には、アップリンク伝送チャネルのスケジューリング情報と、アップリンク制御信号伝送用のアップリンク制御チャネルに用いられる全てのリソースとの所定のマッピング関係、または、アップリンク伝送チャネルのスケジューリング情報と、アップリンク制御信号伝送用のアップリンク制御チャネルに用いられるスケジューリングされないリソースとの所定のマッピング関係を含む。アップリンク伝送チャネルに用いられるリソースのＩＤが確定できれば、マッピング関係に基づいて、対応するアップリンク制御チャネルに用いられるリソースのＩＤを確定し、さらにアップリンク制御チャネルに用いられるリソースのリソース位置を確定することができる。
【００２８】
ステップ４３において、アップリンク制御チャネルに用いられるリソースを利用してＳＲＳを伝送する。
【００２９】
具体的には、ステップ４２で確定したアップリンク制御チャネルに用いられるリソースにＳＲＳをマッピングして伝送、または、ステップ４２で確定したアップリンク制御チャネルに用いられるリソースをＳＲＳに伝送するリソースとする。
【００３０】
本発明の上記実施例において、ユーザ端末は、アップリンク伝送チャネルのスケジューリング情報と、アップリンク制御チャネルに用いられるリソースとの所定のマッピング関係、および、取得したスケジューリングされるアップリンク伝送チャネルのスケジューリング情報に基づいて、対応するアップリンク制御チャネルに用いられるリソース位置を確定することによって、アップリンク制御チャネルリソースが異なるユーザ端末により占用されるコリジョン問題を低減又は回避する。
【００３１】
図５に示されるように、本発明の一部の実施例によるサウンディング参照信号の伝送方法は、具体的には下記ステップを含む。
【００３２】
ステップ５１において、アップリンク伝送チャネルがスケジューリングされると、アップリンク伝送チャネルのスケジューリング情報を取得する。
【００３３】
ステップ５２において、アップリンク伝送チャネルのスケジューリング情報と、アップリンク制御信号伝送用のアップリンク制御チャネルに用いられるリソースとの所定のマッピング関係から、アップリンク伝送チャネルのスケジューリング情報に対応するスケジューリングされないアップリンク制御チャネルに用いられるリソースを確定する。
【００３４】
ステップ５３において、アップリンク制御チャネルに用いられるリソースを利用してＳＲＳを伝送する。
【００３５】
なお、本実施例によるサウンディング参照信号の伝送方法は、ＬＢＴが行われた後に実行される。
【００３６】
ここで、アップリンク伝送において、通常、アップリンク制御情報または特別情報（例えばＳＲＳ）を伝送するためのＭＦ‐ｓＰＵＣＣＨ領域およびその後に隣接するアップリンクサブフレーム（ＰＵＳＣＨ／ＭＦ‐ｅＰＵＣＣＨ）を含む。ＭＦ‐ｓＰＵＣＣＨ領域の後に隣接するアップリンクサブフレームのみでスケジューリングされて伝送が行われるシチュエーションにおいて、ＵＥは、スケジューリング情報に基づいて、ＭＦ‐ｓＰＵＣＣＨ領域（あるいはアップリンク部分サブフレームと称する。）でのＳＲＳの伝送リソース位置およびアップリンクサブフレームでのＰＵＳＣＨ／ＭＦ‐ｅＰＵＣＣＨの伝送リソース位置を同時に選択する。具体的に、ＭＦセルであるサービングセルｃに関し、当該サービングセルｃでタイプ２（ｔｙｐｅ  ２）のＳＲＳ伝送をトリガーするためのＵＥを配置する。当該サービングセルｃのサブフレームｎ−１にＭＦ‐ｓＰＵＣＣＨが存在するものの、当該ＭＦ‐ｓＰＵＣＣＨの存在するサブフレームでＵＣＩが伝送されないと検出し、かつサービングセルｃのサブフレームｎのＳｙｍｂｏｌ  ＃０位置からＰＵＳＣＨまたはＭＦ‐ｅＰＵＣＣＨをスケジューリングするためのＤＣＩフォーマットの０Ａ／０Ｂ／４Ａ／４Ｂを、サブフレームｎ−４以前のサブフレームで受信すると、サブフレームｎ−１でＭＦ‐ｓＰＵＣＣＨリソースを利用してＳＲＳの伝送を開始する。
【００３７】
上記実施例において、アップリンク伝送チャネルのスケジューリング情報と、アップリンク制御信号伝送用のアップリンク制御チャネルに用いられるリソースとの所定のマッピング関係とは、アップリンク伝送チャネルに用いられるリソースのＩＤと、割り当てられない（スケジューリングされないアップリンク制御チャネルに割り当てられるリソースと理解してもよい。）スケジューリングされないアップリンク制御チャネルに用いられるリソースのＩＤとはマッピング関係が存在することを指す。アップリンク伝送チャネルに用いられるリソースのＩＤが確定できれば、マッピング関係に基づいて、対応する割り当てられないスケジューリングされないアップリンク制御チャネルに用いられるリソースのＩＤを確定し、さらに、それに用いられるリソースのリソース位置を確定することができる。
【００３８】
さらに、上記アップリンク伝送チャネルは、ＰＵＳＣＨ／ＭＦ‐ｅＰＵＣＣＨであり、上記アップリンク制御チャネルは、ＭＦ‐ｓＰＵＣＣＨである。
【００３９】
具体的には、ステップ５２は、下記ステップを含む。
１．基地局から、ＲＲＣ（Ｒａｄｉｏ  Ｒｅｓｏｕｒｃｅ  Ｃｏｎｔｒｏｌ；無線リソース制御）で配置され、またはコモン物理ダウンリンクコモンチャネルで指示されるスケジューリングされるリソースとスケジューリングされないリソースの区分情報を取得する。
２．区分情報、スケジューリング情報、および、アップリンク伝送チャネルのスケジューリング情報とアップリンク制御信号伝送用のアップリンク制御チャネルに用いられるリソースとの所定のマッピング関係に基づいて、スケジューリングされるアップリンク伝送チャネルのスケジューリング情報に対応するスケジューリングされないアップリンク制御チャネルに用いられるリソースを確定する。
【００４０】
ここで、基地局は、まず、現在のスケジューリングされるリソースとスケジューリングされないリソースとの区分情報をＵＥに知らせる。よって、ＵＥは、区分情報およびスケジューリング情報に基づいて、対応するリソース位置を確定する。
【００４１】
ここで、アップリンク制御チャネルに用いられるリソースを、具体的には、スケジューリングアップリンク制御チャネルリソース（スケジューリングされるＭＦ‐ｓＰＵＣＣＨ）とスケジューリングされないアップリンク制御チャネルリソース（スケジューリングされないＭＦ‐ｓＰＵＣＣＨ）に区分する。ＳＲＳの伝送フォーマットとして復調参照信号ＤＭＲＳシーケンスと同一のシーケンスを用いることができ、ＤＭＲＳの多重化方式（またはベアラー方式を称する。）がデータ伝送フォーマットに関連するため、具体的にデータ伝送フォーマットに基づいてリソースを区分する。ここで、スケジューリングアップリンク制御チャネルリソース（スケジューリングされるＭＦ‐ｓＰＵＣＣＨ）とスケジューリングされないアップリンク制御チャネルリソース（スケジューリングされないＭＦ‐ｓＰＵＣＣＨ）の区分方式は、スケジューリングアップリンク制御チャネルリソース（スケジューリングされるＭＦ‐ｓＰＵＣＣＨ）のリソース番号範囲のみを通知すること、または、スケジューリングされないアップリンク制御チャネルリソース（スケジューリングされないＭＦ‐ｓＰＵＣＣＨ）のみを通知すること、または、スケジューリングアップリンク制御チャネルリソース（スケジューリングされるＭＦ‐ｓＰＵＣＣＨ）とスケジューリングされないアップリンク制御チャネルリソース（スケジューリングされないＭＦ‐ｓＰＵＣＣＨ）を同時に通知することなどを含む。さらに、スケジューリングアップリンク制御チャネルリソース（スケジューリングされるＭＦ‐ｓＰＵＣＣＨ）とスケジューリングされないアップリンク制御チャネルリソース（スケジューリングされないＭＦ‐ｓＰＵＣＣＨ）との通知方式は、予め規定すること、ＲＲＣで配置すること、または、コモン物理ダウンリンクコモンチャネル（Ｃ−ＰＤＣＣＨ）で指示することなどを含む。
【００４２】
ＭＦ‐ｓＰＵＣＣＨ領域でのＳＲＳに対し異なる伝送フォーマットを使用する場合、スケジューリングされないＭＦ‐ｓＰＵＣＣＨ領域リソース（送信ＳＲＳ）とスケジューリングされるＭＦ‐ｓＰＵＣＣＨ領域リソースとを区分するには、ＳＲＳの時間周波数領域リソース割当方式が異なる。具体的に以下のものがある。
１．サブキャリア間隔が２であるＩＦＤＭＡ（Ｉｎｔｅｒｌｅａｖｅｄ  Ｆｒｅｑｕｅｎｃｙ  Ｄｉｖｉｓｉｏｎ  Ｍｕｌｔｉｐｌｅ  Ａｃｃｅｓｓ；インタリーブドＦＤＭＡ）という従来ＬＴＥでのＳＲＳ伝送フォーマットを採用してＳＲＳを伝送し、すなわち、連続する複数のＰＲＢのうちの奇数または偶数サブキャリアのみを占用する場合、Ｂ‐ＩＦＤＭＡとＩＦＤＭＡとの相違から、スケジューリングされるＭＦ‐ｓＰＵＣＣＨが占用するＰＲＢ以外で、ＳＲＳが占用する連続ＰＲＢを割り当てる必要があり、しかもＳＲＳが時間領域で連続する複数のシンボルを占用し、例えば、時間領域でＭＦ‐ｓＰＵＣＣＨ領域の全てのシンボルを占用する。
２．ＭｕＬＴＥｆｉｒｅでのＭＦ‐ｓＰＵＣＣＨ／ＰＵＳＣＨ／ＭＦ‐ｅＰＵＣＣＨと同一のＢ‐ＩＦＤＭＡ方式でＳＲＳをマッピングし、すなわち周波数領域で等間隔の複数のＰＲＢのうちのすべてのサブキャリアを占用する場合、同一パラメータが用いられるＢ‐ＩＦＤＭＡによって、ＳＲＳとＭＦ‐ｓＰＵＣＣＨに同一または異なるインタリービングユニット（ｉｎｔｅｒｌａｃｅ）が割り当てられる。同一シーケンスの異なるサイクリックシフトおよび／またはＯＣＣ（Ｏｒｔｈｏｇｏｎａｌ  Ｃｏｖｅｒ  Ｃｏｄｅ；直交カバーコード）を割り当てることによって、同一ＰＲＢおよびｉｎｔｅｒｌａｃｅ内の直交が実現される。ＳＲＳは、時間領域で連続する複数のシンボルを占用し、例えば、時間領域でＭＦ‐ｓＰＵＣＣＨ領域の全てのシンボルを占用する。
３．Ｂ‐ＩＦＤＭＡのインタリービングユニットで奇数または偶数サブキャリアのみを占用してＳＲＳをマッピングし、すなわち、周波数領域で等間隔の複数のＰＲＢのうちの奇数または偶数サブキャリアを占用する場合、Ｂ‐ＩＦＤＭＡとインタリービングユニットでのＩＦＤＭＡとの相違から、ＳＲＳとＭＦ‐ｓＰＵＣＣＨに異なるインタリービングユニットが割り当てられる。ＳＲＳは、時間領域で連続する複数のシンボルを占用し、例えば、時間領域でＭＦ‐ｓＰＵＣＣＨ領域の全てのシンボルを占用する。
【００４３】
ＳＲＳの異なる伝送フォーマットに基づき、スケジューリングされるＭＦ‐ｓＰＵＣＣＨのリソースとスケジューリングされないＭＦ‐ｓＰＵＣＣＨのリソースを区分することができる。よって、スケジューリングされないＭＦ‐ｓＰＵＣＣＨのリソースから、アップリンク伝送チャネルのスケジューリング情報に対応するスケジューリングされないＭＦ‐ｓＰＵＣＣＨに用いられるリソースを確定し、ユーザ同士のリソースコリジョン問題を低減又は回避する。
【００４４】
スケジューリング情報は、アップリンク伝送チャネルのアップリンクグラントに付帯される制御チャネル要素（ＣＣＥ）番号、拡張制御チャネル要素（ＥＣＣＥ）番号、スケジューリングされるアップリンク伝送チャネルが占用する周波数領域リソース番号、スケジューリングされるアップリンク伝送チャネルが占用するシーケンス番号およびサイクリックシフト番号、および、スケジューリングされるアップリンク伝送チャネルが占用するＯＣＣシーケンス番号のうちの少なくとも１つを含む。
【００４５】
ここで、アップリンク伝送チャネルのアップリンクグラント（ＵＬ  Ｇｒａｎｔ）が占用するＣＣＥ番号またはＥＣＣＥ番号は、スケジューリングされるＰＵＳＣＨ／ＭＦ‐ｅＰＵＣＣＨのＵＬ  ｇｒａｎｔが占用するＣＣＥ番号またはＥＣＣＥ番号であり、例えばＰＤＣＣＨでＵＬ  Ｇｒａｎｔを伝送する場合、ＵＬ  Ｇｒａｎｔが占用する第Ｎ個のＣＣＥ位置番号であり、例えば第１個のＣＣＥに対応する番号である。ここで、ＣＣＥは、Ｃｏｎｔｒｏｌ  Ｃｈａｎｎｅｌ  Ｅｌｅｍｅｎｔの略称であり、すなわち制御チャネル要素であり、ＬＴＥにおける制御チャネルを送信する時間周波数領域リソース単位である。ＥＣＣＥは、ＥｎｈａｎｃｅｄＣｏｎｔｒｏｌ  Ｃｈａｎｎｅｌ  Ｅｌｅｍｅｎｔの略称であり、すなわち拡張制御チャネル要素であり、ＬＴＥにおける制御チャネルを送信するもう１つの時間周波数領域リソース単位である。
【００４６】
スケジューリングされるアップリンク伝送チャネルが占用する周波数領域リソース番号は、ＵＬ  ｇｒａｎｔをベアラーするＤＣＩ（Ｄｏｗｎｌｉｎｋ  Ｃｏｎｔｒｏｌ  Ｉｎｆｏｒｍａｔｉｏｎ；ダウンリンク制御情報）でのリソース割当指示情報および／またはＲＲＣで配置されるスケジューリングされるＰＵＳＣＨ／ＭＦ‐ｅＰＵＣＣＨに占用されるＮ個のインタリービングユニットまたはＰＲＢに対応する番号であり、例えば占用される第１個のインタリービングユニットまたはＰＲＢに対応する番号である。
【００４７】
スケジューリングされるアップリンク伝送チャネルが占用するシーケンス番号およびサイクリックシフト番号は、ＭＦ‐ｅＰＵＣＣＨが占用するＤＭＲＳシーケンスまたはそのシーケンスの番号およびサイクリックシフトサイズ情報の番号である。
【００４８】
スケジューリングされるアップリンク伝送チャネルが占用するＯＣＣシーケンス番号は、例えばＷａｌｓｈコードおよびＤＦＴ（Ｄｉｓｃｒｅｔｅ  Ｆｏｕｒｉｅｒ  Ｔｒａｎｓｆｏｒｍａｔｉｏｎ；離散フーリエ変換）などに基づく直交カバーコードの番号などである。
【００４９】
マッピング関係は、アップリンク伝送チャネルのスケジューリング情報と、アップリンク制御チャネルに用いられるリソースの番号とのマッピング関係を含む。
【００５０】
すなわち、上記アップリンク伝送チャネルのスケジューリング情報と、アップリンク制御信号伝送用アップリンク制御チャネルに用いられるリソースとのマッピング関係は、具体的には、スケジューリングされるＰＵＳＣＨ／ＭＦ‐ｅＰＵＣＣＨのＵＬ  ｇｒａｎｔが占用する（Ｅ）ＣＣＥ番号と全てのＭＦ‐ｓＰＵＣＣＨのリソース番号とのマッピング関係、ＰＵＳＣＨ／ＭＦ‐ｅＰＵＣＣＨが占用するインタリービングユニットまたはＰＲＢの番号と全てのＭＦ‐ｓＰＵＣＣＨのリソース番号とのマッピング関係、ＭＦ‐ｅＰＵＣＣＨが占用する周波数領域シーケンス番号および当該シーケンスのサイクリックシフト番号と全てのＭＦ‐ｓＰＵＣＣＨのリソース番号とのマッピング関係、または、ＰＵＳＣＨ／ＭＦ‐ｅＰＵＣＣＨが占用するＯＣＣシーケンス番号と全てのＭＦ‐ｓＰＵＣＣＨのリソース番号とのマッピング関係を構築することを指す。
【００５１】
または、上記アップリンク伝送チャネルのスケジューリング情報と、アップリンク制御信号伝送用アップリンク制御チャネルに用いられるリソースとのマッピング関係は、具体的には、スケジューリングされるＰＵＳＣＨ／ＭＦ‐ｅＰＵＣＣＨのＵＬ  ｇｒａｎｔが占用する（Ｅ）ＣＣＥ番号とスケジューリングされないＭＦ‐ｓＰＵＣＣＨのリソース番号とのマッピング関係、ＰＵＳＣＨ／ＭＦ‐ｅＰＵＣＣＨが占用するインタリービングユニットまたはＰＲＢの番号とスケジューリングされないＭＦ‐ｓＰＵＣＣＨのリソース番号とのマッピング関係、ＭＦ‐ｅＰＵＣＣＨが占用する周波数領域シーケンス番号および当該シーケンスのサイクリックシフト番号とスケジューリングされないＭＦ‐ｓＰＵＣＣＨのリソース番号とのマッピング関係、または、ＰＵＳＣＨ／ＭＦ‐ｅＰＵＣＣＨが占用するＯＣＣシーケンス番号とスケジューリングされないＭＦ‐ｓＰＵＣＣＨのリソース番号とのマッピング関係を構築することを指す。
【００５２】
上記実施例において、アップリンク伝送チャネルのスケジューリング情報と、アップリンク制御チャネルに用いられるリソースの番号とのマッピング関係、および、スケジューリングされるＰＵＳＣＨ／ＭＦ‐ｅＰＵＣＣＨのスケジューリング情報に基づいて、対応するスケジューリングされないＭＦ‐ｓＰＵＣＣＨに用いられるリソース位置を確定することによって、同一ＭＦ‐ｓＰＵＣＣＨリソース位置が複数のユーザ端末に同時に用いられるリソースコリジョン問題を回避する。
【００５３】
図６に示されるように、本発明の一部実施例によるサウンディング参照信号の伝送方法は、具体的に下記ステップを含む。
【００５４】
ステップ６１は、上記ステップ４１と同一に行われる。
【００５５】
ステップ６２は、上記ステップ４２と同一に行われる。
【００５６】
ステップ６３において、異なる時間領域リソースシンボルで、異なる周波数領域リソースを占用する方式で、アップリンク制御チャネルに用いられるリソースによってＳＲＳを基地局に伝送する。
【００５７】
ここで、上記ステップ６２で確定したアップリンク制御チャネルに用いられるリソース位置およびステップ６２で確定したＭＦ‐ｓＰＵＣＣＨ／ＳＲＳが占用するリソース位置にＳＲＳをマッピングして伝送する。
【００５８】
ここで、ＭＦ‐ｓＰＵＣＣＨ／ＳＲＳが占用する複数の時間領域シンボルで、異なる周波数領域リソース位置が用いられる。すなわち、ＭＦ‐ｓＰＵＣＣＨ／ＳＲＳの第１個の時間領域シンボルで選択される周波数領域リソース位置は、ＭＦ‐ｓＰＵＣＣＨ／ＳＲＳの第２個の時間領域シンボルで選択される周波数領域リソース位置とは異なる。このように、複数の時間領域シンボルを統合的に見ると、ＳＲＳを送信するチャネルに占用される周波数領域リソースが密集することに相当する。このように、ＳＲＳを伝送する周波数領域リソースの間の周波数間隔を縮小し、ある程度でチャネル推定精度を向上させることができる。
【００５９】
図７に示されるように、本発明の一部の実施例によるサウンディング参照信号の伝送方法は、具体的に下記ステップを含む。
【００６０】
ステップ７１は、上記ステップ４１と同一に行われる。
【００６１】
ステップ７２は、上記ステップ４２と同一に行われる。
【００６２】
ステップ７３において、周波数領域リソース位置でのサイクリックシフトにしたがって、ＳＲＳを異なる時間領域リソースで異なる周波数領域リソースにマッピングして基地局に伝送する。ここで、周波数領域リソース位置でのサイクリックシフトの大きさは、アップリンク制御チャネルに用いられるリソースの時間領域リソースシンボル数、および、同一時間領域リソースでＳＲＳに占用される周波数領域リソースの周波数間隔によって決められる。
【００６３】
例えば、ＭＦ‐ｓＰＵＣＣＨ／ＳＲＳの第１個のシンボルで選択される周波数領域リソース位置（インタリービングユニット番号）は、ＰＵＳＣＨ／  ＭＦ‐ｅＰＵＣＣＨのスケジューリング情報によって決められ、第２個のシンボルの周波数領域リソース位置は、第１個のシンボルの周波数領域リソース位置からＴビットでサイクリックシフトして得られ、このように、時間領域シンボルが全て伝送されるまで類推する。ここで、Ｔは、ＭＦ‐ｓＰＵＣＣＨ／ＳＲＳの全体的時間領域リソースシンボル占用数、同一時間領域リソースで前記ＳＲＳに占用される周波数領域リソースの周波数間隔によって決められる。選択可能に、同一時間領域リソースでＳＲＳおよびＰＵＳＣＨ／  ＭＦ‐ｅＰＵＣＣＨに占用される周波数領域リソースの周波数間隔によって、周波数領域リソースでのサイクリックシフトＴを確定してもよい。このような方式によれば、ＳＲＳの伝送に用いられる周波数領域リソースの間の周波数間隔を縮小してＳＲＳの推定精度を向上させることができる。
【００６４】
ＳＲＳの伝送フォーマットとして復調参照信号ＤＭＲＳシーケンスと同一のシーケンスを用いることができ、ＤＭＲＳの多重化方式（またはベアラー方式と称する。）がデータ伝送フォーマットに関連する。具体的には、ＭＦ‐ｓＰＵＣＣＨリソース（スケジューリングされるＭＦ‐ｓＰＵＣＣＨとスケジューリングされないＭＦ‐ｓＰＵＣＣＨを含む。）領域において、ＭＦ‐ｓＰＵＣＣＨは、Ｂ‐ＩＦＤＭＡコードによる直交多重化（Ｂ‐ＩＦＤＭＡコードは、実質上、特別リソースに割り当てられるＯＦＤＭＡコードである。）が行われ、１個から４個の時間領域リソースシンボルを占用する。２個より多くの時間領域リソースシンボルを占用すると、一部のシンボルは、復調参照信号ＤＭＲＳを伝送し、一部のシンボルは、データを伝送する。ＭＦ‐ｓＰＵＣＣＨが４個のシンボルを占用することを一例とし、その先頭の２つのシンボルがＤＭＲＳ伝送に用いられ、末尾の２つのシンボルがデータ伝送に用いられると仮定すると、ＭＦ‐ｓＰＵＣＣＨの多重化は、ＤＭＲＳシンボルの多重化とデータシンボルの多重化との２部分を含む。
【００６５】
ＤＭＲＳを伝送するシンボルの場合、各シンボルにおいて、同一シーケンスの異なるサイクリックシフトを送信することによって周波数領域の符号分割が実現される。例えばＬＴＥでＤＭＲＳに用いられるＺａｄｏｆｆ−Ｃｈｕシーケンスおよび／または複数のシンボルの間のＯＣＣによって時間領域直交が実現される。例えば２つのシンボルは、コードの長さが２であるＷａｌｓｈコードの００、０１によって時間領域直交が実現される。ＤＭＲＳの多重化は、データシンボルのマッピング方式に決められる。一方、データを伝送するシンボルの場合、各ＰＲＢでの各データシンボルは、伝送可能な変調シンボル数が異なり、その多重化も異なる。以下、具体的な応用シチュエーションを通して説明する。
【００６６】
例えば、１つのＰＲＢの異なるデータシンボルで、異なる変調シンボルが伝送され、１つのＰＲＢの１つのデータシンボルで、１つの変調シンボルが伝送される。すると、当該変調シンボルは、コードの長さが１２であるサイクリックシフト後のシーケンス、例えばＺａｄｏｆｆ−Ｃｈｕシーケンスと乗算してから１２個のＲＥ（リソース要素；Ｒｅｓｏｕｒｃｅ  Ｅｌｅｍｅｎｔ）にマッピングされる。これにより、異なるＵＥのデータシンボルは、異なるサイクリックシフトによって周波数領域直交が行われる。データシンボルの多重化方式と同様に、ＤＭＲＳもサイクリックシフトのシーケンスによって周波数領域直交が行われる。２つのデータシンボルを例とし、１つのＰＲＢの２つのデータシンボルで２つの変調シンボルが伝送され、２０ＭＨｚにおける１つのインタリービングユニット（１０個のＰＲＢ）で２０個の変調シンボルが伝送され、ＱＰＳＫ変調において４０個の符号化後のビットが伝送される。シーケンスのサイクリックシフト間隔が１であると、１つのインタリービングユニットは、最多で同時に１２個のユーザ端末のＭＦ‐ｓＰＵＣＣＨの伝送をサポートすることができる。
【００６７】
さらに例えば、１つのＰＲＢの異なるデータシンボルで、同一の変調シンボルが伝送される。当該変調シンボルは、ＯＣＣによって複数のデータシンボルまで拡張される。１つのＰＲＢの１つのデータシンボルで、１つの変調シンボルが伝送される。当該変調シンボルは、コードの長さが１２であるサイクリックシフト後のシーケンス、例えばＺａｄｏｆｆ−Ｃｈｕシーケンスと乗算してから１２個のＲＥにマッピングされる。異なるＵＥのデータは、同時に、異なるサイクリックシフトによって周波数領域直交が行われ、異なるＯＣＣによって時間領域直交が行われる。２つのデータシンボルを一例とし、１つのＰＲＢの２つのデータシンボルで１つの変調シンボルが伝送され、２０ＭＨｚにおける１つのインタリービングユニット（１０個のＰＲＢ）で１０個の変調シンボルが伝送され、ＱＰＳＫ（Ｑｕａｄｒａｔｕｒｅ  Ｐｈａｓｅ  Ｓｈｉｆｔ  Ｋｅｙｉｎｇ；直交位相シフトキーイング）変調において２０個の符号化後のビットが伝送される。シーケンスのサイクリックシフト間隔が１であると、１つのインタリービングユニットは、最多で同時に１２×２＝２４個のＵＥのＭＦ‐ｓＰＵＣＣＨの伝送をサポートすることができる。
【００６８】
さらに例えば、１つのＰＲＢの異なるデータシンボルで、同一の変調シンボルが伝送される。当該変調シンボルは、ＯＣＣによって複数のデータシンボルまでに拡張される。１つのＰＲＢの１つのデータシンボルで、１２個の変調シンボルが伝送され、１２個の変調シンボルが１２個のＲＥにマッピングされる。異なるＵＥのデータは、異なるＯＣＣによって時間領域直交が行われる。２つのデータシンボルを一例とし、１つのＰＲＢの２つのデータシンボルで１２個の変調シンボルが伝送され、２０ＭＨｚにおける１つのインタリービングユニット（１０個のＰＲＢ）で１２０個の変調シンボルが伝送され、ＱＰＳＫ変調において２４０個の符号化後のビットが伝送される。シーケンスのサイクリックシフト間隔が１であると、１つのインタリービングユニットは、最多で同時に２つのＵＥのＭＦ‐ｓＰＵＣＣＨの伝送をサポートすることができる。
【００６９】
ＳＲＳの伝送フォーマットとして、復調参照信号ＤＭＲＳシーケンスおよび同一のシーケンス、例えばＺａｄｏｆｆ−Ｃｈｕシーケンスが用いられるため、ＳＲＳは、周波数領域においても多種類の方式でマッピングされる。
方式１：サブキャリア間隔が２であるＩＦＤＭＡという従来ＬＴＥでのＳＲＳ伝送フォーマットを採用し、すなわち周波数領域で連続する複数のＰＲＢのうちの奇数または偶数サブキャリアのみを占用する。
方式２：ＭｕＬＴＥｆｉｒｅでのＭＦ‐ｓＰＵＣＣＨ／ＰＵＳＣＨ／ＭＦ‐ｅＰＵＣＣＨと同一のＢ‐ＩＦＤＭＡマッピング方式を採用し、すなわち周波数領域で等間隔の複数のＰＲＢのうちのすべてのサブキャリアを占用する。
方式３：Ｂ‐ＩＦＤＭＡのインタリービングユニットで奇数または偶数サブキャリアのみを占用するマッピング方式を採用し、すなわち周波数領域で等間隔の複数のＰＲＢのうちの奇数または偶数サブキャリアを占用する。
【００７０】
以下、添付図面および具体的な応用シチュエーションとともに、ＭＦ‐ｓＰＵＣＣＨが占用する周波数領域リソースにＳＲＳをマッピングして伝送するプロセスを詳細に紹介する。
シチュエーション１
【００７１】
当該シチュエーションは、上記方式２または方式３のＳＲＳマッピング方式に対応する。アップリンク制御チャネルに用いられるリソースがＮ（正整数）個の時間領域リソースシンボルを占用し、１つの時間領域リソースシンボルでＭ（正整数）個のインタリービングユニットを占用すると、ＳＲＳのＮ個の時間領域リソースシンボルのうちの異なる時間領域リソースシンボルが、それぞれ異なるＭ個のインタリービングユニットを占用するように指示し、アップリンク制御チャネルに用いられるリソースにＳＲＳをマッピングして基地局に伝送する。
【００７２】
ここで、Ｎ個の時間領域リソースシンボルが占用するすべての周波数領域リソース位置で、周波数領域で隣接も連続もしないインタリービングユニットの物理リソースブロックの間の周波数間隔は、周波数領域リソース位置のサイクリックシフトによって決められる。
【００７３】
ＭＦ‐ｓＰＵＣＣＨ領域が４つの時間領域リソースシンボルを占用すると、ＳＲＳは、Ｂ‐ＩＦＤＭＡ方式でマッピングされ、１つのインタリービングユニットと４つの時間領域リソースシンボルを占用し、かつ、ＭＦ‐ｓＰＵＣＣＨとＳＲＳは、各時間領域リソースシンボルで、同一シーケンスの異なるサイクリックシフトによって周波数領域直交が行われる。ＭＦ‐ｓＰＵＣＣＨまたはＳＲＳの複数のシンボルの間で、時間領域のＯＣＣ直交が行われない。したがって、ＳＲＳの各シンボルは、異なるインタリービングユニットにマッピングされる。図８に示されるように、２０ＭＨｚのシステム帯域幅で１０個のインタリービングユニットを有し、同一ＵＥのＳＲＳ（図中の斜線つき部分）に関し、第１個のＢ‐ＩＦＤＭＡシンボルが第１個のインタリービングユニット（番号０のインタリービングユニット）を占用し、第２個のＢ‐ＩＦＤＭＡシンボルが第３個のインタリービングユニット（番号２のインタリービングユニット）を占用し、第３個のＢ‐ＩＦＤＭＡシンボルが第６個のインタリービングユニット（番号５のインタリービングユニット）を占用し、第４個のＢ‐ＩＦＤＭＡシンボルが第９個のインタリービングユニット（番号８のインタリービングユニット）を占用する。よって、ＳＲＳが周波数領域リソースで占用する周波数の間の間隔をなるべく小さくしかも均一にする。基地局は、上記４個のＢ‐ＩＦＤＭＡシンボル内のＳＲＳ情報に対し時間周波数領域の統合補間を行う。よって、最小周波数間隔は、１０個のＰＲＢから３個のＰＲＢまで減少され、推定精度が大きく向上する。
シチュエーション２
【００７４】
当該シチュエーションは、上記方式２または方式３のＳＲＳマッピング方式の別シチュエーションである。アップリンク制御チャネルに用いられるリソースがＮ（正整数）個の時間領域リソースシンボルを占用し、１つの時間領域リソースシンボル内でＭ（正整数）個のインタリービングユニットを占用すると、ＳＲＳのＬ（正整数）個毎の隣接するリソースシンボルが、一つのグループとして同一のインタリービングユニットを占用するように指示して時間領域直交符号分割を行い、アップリンク制御チャネルに用いられるリソースにＳＲＳをマッピングして基地局に伝送する。
【００７５】
ここで、異なるグループのリソースシンボルが占用するインタリービングユニットの周波数が異なり、かつＮ個の時間領域リソースシンボルが占用する全ての周波数領域リソース位置で、周波数領域で隣接も連続もしないインタリービングユニットの物理リソースブロックＰＲＢの間の周波数間隔は、周波数領域リソース位置のサイクリックシフトによって決められる。
【００７６】
ＭＦ‐ｓＰＵＣＣＨ領域が４つのシンボルを占用すると、ＳＲＳは、Ｂ‐ＩＦＤＭＡ方式でマッピングされ、１つのインタリービングユニットおよび４つの時間領域リソースシンボルを占用し、かつ、ＭＦ‐ｓＰＵＣＣＨおよびＳＲＳは、先頭から２つのシンボルと末尾の２つのシンボルで、同一シーケンスの異なるサイクリックシフトによって周波数領域直交が行われ、異なるＯＣＣによって時間領域直交が行われる（例えば、先頭から２つのシンボルは、ＤＭＲＳであり、末尾の２つのシンボルは、データである。）。したがって、ＳＲＳの先頭から２つのシンボルと末尾の２つのシンボルとは、異なるインタリービングユニットにマッピングされる。図９に示されるように、２０ＭＨｚのシステム帯域幅で１０個のインタリービングユニットを有し、同一ＵＥのＳＲＳ（図中の斜線つき部分）に関し、第１個のＢ‐ＩＦＤＭＡシンボルと第２個のＢ‐ＩＦＤＭＡシンボルが第１個のインタリービングユニット（番号０のインタリービングユニット）を占用し、第３個のＢ‐ＩＦＤＭＡシンボルおよび第４個のＢ‐ＩＦＤＭＡシンボルが第６個のインタリービングユニット（番号５のインタリービングユニット）を占用する。よって、ＳＲＳの周波数領域での間隔をなるべく小さくしかも均一にする。基地局は、上記４個のＢ‐ＩＦＤＭＡシンボル内のＳＲＳ情報に対し時間周波数領域の統合補間を行う。このように、最小周波数間隔は、１０個のＰＲＢから５個のＰＲＢまでに減少され、ある程度でＳＲＳのチャネル推定精度が向上する。
シチュエーション３
【００７７】
当該シチュエーションは、上記方式１のＳＲＳマッピング方式に対応する。アップリンク制御チャネルに用いられるリソースがＮ（正整数）個の時間領域リソースシンボルを占用すると、ＳＲＳの各時間領域リソースシンボルが、いずれも周波数領域で連続して割り当てられない（またはＳＲＳ伝送に割り当てられる）Ｍ（正整数）個のインタリービングユニットからなる異なる組み合わせを占用するように指示し、アップリンク制御チャネルに用いられるリソースにＳＲＳをマッピングして基地局に伝送する。
【００７８】
ここで、Ｎ個の時間領域リソースシンボルが占用する全ての周波数領域リソース位置で、周波数領域で隣接も連続もしないインタリービングユニットの組み合わせの物理リソースブロックＰＲＢの間の周波数間隔は、周波数領域リソース位置でのサイクリックシフトによって決められる。
【００７９】
サブキャリア間隔が２であるＩＦＤＭＡによってＳＲＳをマッピングすると、ＳＲＳの周波数ホッピングは、ＭＦ‐ｓＰＵＣＣＨに割り当てたリソース以外の領域で行われる必要がある。図１０に示されるように、２０ＭＨｚのシステム帯域幅で１０個のインタリービングユニットを有し、スケジューリングされるＭＦ‐ｓＰＵＣＣＨにインタリービングユニット０〜５（図中の黒点背景部分）を割り当て、スケジューリングされないＳＲＳにインタリービングユニット６から９を割り当てたとする。ＳＲＳが従来ＬＴＥでのＩＦＤＭＡのフォーマットを使用すると、同一ＵＥのＳＲＳ（図中の斜線つき部分）は、連続する４個のＰＲＢのうちの奇数または偶数サブキャリアを占用し、第１個のＩＦＤＭＡシンボルがＰＲＢ番号６から９の奇数または偶数サブキャリアを占用し、第２個のＩＦＤＭＡシンボルがＰＲＢ番号２６から２９の奇数または偶数サブキャリアを占用し、第３個のＩＦＤＭＡシンボルがＰＲＢ番号５６から５９の奇数または偶数サブキャリアを占用し、第４個のＩＦＤＭＡシンボルがＰＲＢ番号７６から７９の奇数または偶数サブキャリアを占用する。基地局は、上記４個のシンボル内のＳＲＳ情報に対し時間周波数領域の統合補間を行う。よって、ＳＲＳの周波数領域での間隔をなるべく小さくし、最小周波数間隔が１７個のＰＲＢである。
シチュエーション４
【００８０】
当該シチュエーションは、方式３のＳＲＳマッピング方式の別シチュエーションである。アップリンク制御チャネルに用いられるリソースがＮ（正整数）個の時間領域リソースシンボルを占用すると、ＳＲＳのＮ個の時間領域リソースシンボルの異なる時間領域リソースシンボルが、他のチャネルに割り当てられない異なるＭ（正整数）個のインタリービングユニットを占用するように指示し、アップリンク制御チャネルに用いられるリソースにＳＲＳをマッピングして基地局に伝送する。
【００８１】
ここで、Ｎ個の時間領域リソースシンボルが占用する全ての周波数領域リソース位置で、周波数領域で隣接も連続もしないインタリービングユニットの物理リソースブロックＰＲＢの間の周波数間隔は、周波数領域リソース位置でのサイクリックシフトによって決められる。
【００８２】
ＳＲＳがＢ‐ＩＦＤＭＡのインタリービングユニットで奇数または偶数サブキャリアのみを占用すると、ＳＲＳの周波数ホッピングは、ＭＦ‐ｓＰＵＣＣＨに割り当てたリソース以外の領域で行われる必要がある。図１１に示されるように、２０ＭＨｚのシステム帯域幅で１０個のインタリービングユニットを有し、スケジューリングされるＭＦ‐ｓＰＵＣＣＨに偶数番号のインタリービングユニット（番号０／２／４／６／８）を割り当て、スケジューリングされないＳＲＳに奇数番号のインタリービングユニット（番号１／３／５／７／９）を割り当てたとする。ＳＲＳがインタリービングユニット内のサブキャリア間隔が２であるＩＦＤＭＡのフォーマットを使用すると、同一ＵＥのＳＲＳは、１つのインタリービングユニットの奇数または偶数サブキャリアを占用し、第１個のＩＦＤＭＡシンボルが番号１のインタリービングユニットの奇数または偶数サブキャリアを占用し、第２個のＩＦＤＭＡシンボルが番号３のインタリービングユニットの奇数または偶数サブキャリアを占用し、第３個のＩＦＤＭＡシンボルが番号７のインタリービングユニットの奇数または偶数サブキャリアを占用し、第４個のＩＦＤＭＡシンボルが番号９のインタリービングユニットの奇数または偶数サブキャリアを占用する。基地局は、当該４個のＩＦＤＭＡシンボル内のＳＲＳ情報に対し時間周波数領域の統合補間を行う。最小周波数間隔が１０個のＰＲＢから３個のＰＲＢに減少されるため、ＳＲＳの周波数領域での間隔をなるべく小さくかつ均一にし、ある程度でＳＲＳのチャネル推定精度を向上させる。
【００８３】
当該実施例において、ユーザ端末は、アップリンク伝送チャネルのスケジューリング情報と、アップリンク制御チャネルに用いられるリソースとの所定のマッピング関係、および、取得したスケジューリングされるアップリンク伝送チャネルのスケジューリング情報に基づいて、対応するアップリンク制御チャネルに用いられるリソース位置を確定することによって、アップリンク制御チャネルリソースが異なるユーザ端末に占用されるコリジョン問題を低減又は回避する。さらに、アップリンク制御チャネルを確定した後に、異なる時間領域リソースシンボルで異なる周波数領域リソースを占用する方式で、伝送するサウンディング参照信号ＳＲＳをアップリンク制御チャネルにマッピングして基地局に伝送することによって、ＳＲＳを伝送する周波数領域リソースの間の周波数間隔を縮小し、ある程度でチャネル推定精度を向上させる。
【００８４】
図１２に示されるように、本発明の一部実施例によるサウンディング参照信号の伝送装置１２０は、アップリンク伝送チャネルがスケジューリングされると、アップリンク伝送チャネルのスケジューリング情報を取得することに用いられる取得モジュール１２１と、アップリンク伝送チャネルのスケジューリング情報と、アップリンク制御信号伝送用のアップリンク制御チャネルに用いられるリソースとの所定のマッピング関係に基づいて、アップリンク伝送チャネルのスケジューリング情報に対応するアップリンク制御チャネルに用いられるリソースを確定することに用いられる処理モジュール１２２と、アップリンク制御チャネルに用いられるリソースを利用してサウンディング参照信号を伝送することに用いられる送信モジュール１２３とを備える。
【００８５】
ここで、取得モジュール１２１は、アップリンクデータ信号伝送用のアップリンク伝送チャネルがスケジューリングされると、アップリンク伝送チャネルのスケジューリング情報を基地局から取得することに用いられる取得ユニットを備える。
【００８６】
ここで、処理モジュール１２２は、アップリンク伝送チャネルのスケジューリング情報と、アップリンク制御信号伝送用のアップリンク制御チャネルに用いられるリソースとの所定のマッピング関係から、アップリンク伝送チャネルのスケジューリング情報に対応するスケジューリングされないアップリンク制御チャネルに用いられるリソースを確定することに用いられる処理ユニットを備える。
【００８７】
具体的には、当該処理ユニットは、基地局から、ＲＲＣで配置され、またはコモン物理ダウンリンクコモンチャネルで指示されるスケジューリングされるリソースとスケジューリングされないリソースの区分情報を取得することに用いられる取得サブユニットと、区分情報、スケジューリング情報、および、アップリンク伝送チャネルのスケジューリング情報とアップリンク制御信号伝送用のアップリンク制御チャネルに用いられるリソースとの所定のマッピング関係に基づいて、スケジューリングされるアップリンク伝送チャネルのスケジューリング情報に対応するスケジューリングされないアップリンク制御チャネルに用いられるリソースを確定することに用いられる処理サブユニットとを備える。
【００８８】
ここで、上記スケジューリング情報は、アップリンク伝送チャネルのアップリンクグラントに付帯されるＣＣＥ番号またはＥＣＣＥ番号、スケジューリングされるアップリンク伝送チャネルが占用する周波数領域リソース番号、スケジューリングされるアップリンク伝送チャネルが占用するシーケンス番号およびサイクリックシフト番号、および、スケジューリングされるアップリンク伝送チャネルが占用するＯＣＣシーケンス番号のうちの少なくとも１つを含み、マッピング関係は、アップリンク伝送チャネルのスケジューリング情報と、アップリンク制御チャネルに用いられるリソースの番号とのマッピング関係を含む。
【００８９】
ここで、送信モジュール１２３は、異なる時間領域リソースシンボルで、異なる周波数領域リソースを占用する方式で、アップリンク制御チャネルに用いられるリソースによってＳＲＳを基地局に伝送することに用いられる送信ユニットを備える。
【００９０】
具体的に送信ユニットは、周波数領域リソース位置でのサイクリックシフトにしたがって、ＳＲＳを、異なる時間領域リソースで、異なる周波数領域リソースにマッピングして基地局に伝送することに用いられる。ここで、周波数領域リソース位置でのサイクリックシフトは、アップリンク制御チャネルに用いられるリソースの時間領域リソースシンボル数、および、同一時間領域リソースでＳＲＳに占用される周波数領域リソースの周波数間隔によって決められる。
【００９１】
ここで、送信ユニットは、アップリンク制御チャネルに用いられるリソースがＮ（正整数）個の時間領域リソースシンボルを占用し、１つの時間領域リソースシンボルでＭ（正整数）個のインタリービングユニットを占用すると、ＳＲＳのＮ個の時間領域リソースシンボルのうちの異なる時間領域リソースシンボルが、それぞれ異なるＭ個のインタリービングユニットを占用するように指示することに用いられる第１指示サブユニットと、アップリンク制御チャネルに用いられるリソースにＳＲＳをマッピングして基地局に伝送することに用いられる第１送信サブユニットを備える。ここで、Ｎ個の時間領域リソースシンボルが占用する全ての周波数領域リソース位置で、周波数領域で隣接も連続もしないインタリービングユニットの物理リソースブロックの間の周波数間隔は、周波数領域リソース位置のサイクリックシフトによって決められる。
【００９２】
ここで、送信ユニットは、アップリンク制御チャネルに用いられるリソースがＮ（正整数）個の時間領域リソースシンボルを占用し、１つの時間領域リソースシンボル内でＭ（正整数）個のインタリービングユニットを占用すると、ＳＲＳのＬ（正整数）個毎の隣接するリソースシンボルが、一つのグループとして同一のインタリービングユニットを占用するように指示し、時間領域直交符号分割を行うことに用いられる第２指示サブユニットと、アップリンク制御チャネルに用いられるリソースにＳＲＳをマッピングして基地局に伝送することに用いられる第２送信サブユニットとをさらに備える。ここで、異なるグループの時間領域リソースシンボルが占用するインタリービングユニットの周波数が異なり、かつＮ個の時間領域リソースシンボルが占用する全ての周波数領域リソース位置で、周波数領域で隣接も連続もしないインタリービングユニットの物理リソースブロックＰＲＢの間の周波数間隔は、周波数領域リソース位置でのサイクリックシフトによって決められる。
【００９３】
送信ユニットは、アップリンク制御チャネルに用いられるリソースがＮ（正整数）個の時間領域リソースシンボルを占用すると、ＳＲＳの各時間領域リソースシンボルが、いずれも周波数領域で連続する割り当てられないＭ（正整数）個のインタリービングユニットからなる異なる組み合わせを占用するように指示することに用いられる第３指示サブユニットと、アップリンク制御チャネルに用いられるリソースにＳＲＳをマッピングして基地局に伝送することに用いられる第３送信サブユニットとをさらに備える。ここで、Ｎ個の時間領域リソースシンボルが占用する全ての周波数領域リソース位置で、周波数領域で隣接も連続もしないインタリービングユニットの組み合わせの物理リソースブロックＰＲＢの間の周波数間隔は、前記周波数領域リソース位置でのサイクリックシフトによって決められる。
【００９４】
送信ユニットは、アップリンク制御チャネルに用いられるリソースがＮ（正整数）個の時間領域リソースシンボルを占用すると、ＳＲＳのＮ個の時間領域リソースシンボルの異なる時間領域リソースシンボルが、他のチャネルに割り当てられないＭ（正整数）個の異なるインタリービングユニットを占用するように指示することに用いられる第４指示サブユニットと、アップリンク制御チャネルに用いられるリソースにＳＲＳをマッピングして基地局に伝送することに用いられる第４送信サブユニットとをさらに備える。ここで、Ｎ個の時間領域リソースシンボルが占用する全ての周波数領域リソース位置で、周波数領域で隣接も連続もしないインタリービングユニットの物理リソースブロックＰＲＢの間の周波数間隔は、周波数領域リソース位置でのサイクリックシフトによって決められる。
【００９５】
ここで、上記アップリンク伝送チャネルは、物理アップリンクシェアドチャネル（ＰＵＳＣＨ）／拡張物理アップリンク制御チャネル（ＭＦ‐ｅＰＵＣＣＨ）であり、アップリンク制御チャネルは、ＭＦ‐ｓＰＵＣＣＨである。
【００９６】
当該実施例において、アップリンク伝送チャネルのスケジューリング情報と、アップリンク制御チャネルに用いられるリソースの番号とのマッピング関係、および、スケジューリングされるＰＵＳＣＨ／ＭＦ‐ｅＰＵＣＣＨのスケジューリング情報に基づいて、対応するスケジューリングされないＭＦ‐ｓＰＵＣＣＨに用いられるリソース位置を確定することによって、同一ＭＦ‐ｓＰＵＣＣＨのリソース位置が複数のユーザ端末に同時に占用されるリソースコリジョン問題を回避する。さらに、アップリンク制御チャネルを確定した後に、異なる時間領域リソースシンボルで異なる周波数領域リソースを占用する方式で、伝送するサウンディング参照信号ＳＲＳをアップリンク制御チャネルにマッピングして基地局に伝送することによって、ＳＲＳを伝送する周波数領域リソースの間の周波数間隔を縮小し、ある程度でチャネル推定精度を向上させる。
【００９７】
本発明の実施例の装置は、上記方法の実施例に対応する装置である。上記方法の実施例の全ての実現手段は、いずれも当該装置の実施例に適用して、同一の技術効果を達成することもできる。
【００９８】
図１３に示されるように、本発明の一部実施例による端末は、アップリンク伝送チャネルがスケジューリングされると、アップリンク伝送チャネルのスケジューリング情報を受信することに用いられる受信機１３１と、アップリンク伝送チャネルのスケジューリング情報と、アップリンク制御信号伝送用のアップリンク制御チャネルに用いられるリソースとの所定のマッピング関係に基づいて、アップリンク伝送チャネルのスケジューリング情報に対応するアップリンク制御チャネルに用いられるリソースを確定する機能を実現することに用いられ、受信機に接続されるプロセッサ１３２と、アップリンク制御チャネルに用いられるリソースを利用してサウンディング参照信号を伝送することに用いられ、プロセッサに接続される送信機１３３とを備える。
【００９９】
ここで、プロセッサ１５２は、上記装置の実施例の全てのモジュールに実現される機能を実現するように配置されてもよく、上記装置の実施例と同一の技術効果を達成することもできる。
【０１００】
図１４に示されるように、一部の実施例において、サウンディング参照信号の伝送方法は、具体的に下記ステップを含む。
【０１０１】
ステップ１４１において、サウンディング参照信号ＳＲＳのアップリンク制御チャネルに用いられるリソース位置を確定する。
【０１０２】
ここで、アップリンク制御チャネルでは、各種類の制御信号が伝送される。ここでサウンディング参照信号ＳＲＳのアップリンク制御チャネルに用いられるリソース位置を確定することは、基地局によるスケジューリング方式で行われてもよく、ユーザ端末による自主モニタリング方式で行われてもよい。
【０１０３】
ステップ１４２において、異なる時間領域リソースシンボルで、異なる周波数領域リソースを占用する方式で、アップリンク制御チャネルに用いられるリソースによってＳＲＳを基地局に伝送する。
【０１０４】
ここで、ＭＦ‐ｓＰＵＣＣＨが占用する複数の時間領域シンボルで、異なる周波数領域リソース位置が用いられる。すなわち、ＭＦ‐ｓＰＵＣＣＨの第１個のシンボルで選択される周波数領域リソース位置は、ＭＦ‐ｓＰＵＣＣＨの第２個のシンボルで選択される周波数領域リソース位置とは異なる。このように、複数の時間領域シンボルを統合的に見ると、ＳＲＳを送信するチャネルに占用される周波数領域リソースが密集することに相当する。このように、ＳＲＳを伝送する周波数領域リソースの間の周波数間隔を縮小し、ある程度でチャネル推定精度を向上させることができる。
【０１０５】
図１５に示されるように、一部の実施例において、サウンディング参照信号の伝送方法は、具体的には下記ステップを含む。
【０１０６】
ステップ１５１は、上記ステップ１４１と同一に行われる。
【０１０７】
ステップ１５２において、周波数領域リソース位置でのサイクリックシフトにしたがって、ＳＲＳを異なる時間領域リソースで、異なる周波数領域リソースにマッピングして基地局に伝送する。
【０１０８】
ここで、周波数領域リソース位置でのサイクリックシフトは、アップリンク制御チャネルに用いられるリソースの時間領域リソースシンボル数、および、同一時間領域リソースでＳＲＳに占用される周波数領域リソースの周波数間隔によって決められる。例えば、ＭＦ‐ｓＰＵＣＣＨの第１個のシンボルで選択される周波数領域リソース位置（インタリービングユニット番号）は、ＰＵＳＣＨ／  ＭＦ‐ｅＰＵＣＣＨのスケジューリング情報によって決められ、第２個のシンボルの周波数領域リソース位置は、第１個のシンボルの周波数領域リソース位置からＴビットでサイクリックシフトして得られ、このように、時間領域シンボルが全て伝送されるまで類推する。ここで、Ｔは、ＭＦ‐ｓＰＵＣＣＨの全体的時間領域リソースシンボル占用数、同一時間領域リソースで前記ＳＲＳに占用される周波数領域リソースの周波数間隔によって決められる。選択可能に、同一時間領域リソースでＳＲＳとＰＵＳＣＨ／  ＭＦ‐ｅＰＵＣＣＨに占用される周波数領域リソースの周波数間隔によって、周波数領域リソースでのサイクリックシフトＴを確定してもよい。このような方式によれば、ＳＲＳの伝送に用いられる周波数領域リソースの周波数間隔を縮小してＳＲＳの推定精度を向上させることができる。
【０１０９】
ＳＲＳの伝送フォーマットとして復調参照信号ＤＭＲＳシーケンスと同一のシーケンスを用いることができ、ＤＭＲＳの多重化方式（またはベアラー方式を称する。）がデータ伝送フォーマットに関連する。具体的には、伝送フォーマットは、上記実施例４に記載されている。ＳＲＳは、周波数領域でも、ＤＭＲＳシーケンスのような多種類のマッピング方式を用いることができ、具体的に上記実施例４に挙げられている方式１、方式２、方式３を含む。
【０１１０】
以下、具体的な応用シチュエーションとともに、ＭＦ‐ｓＰＵＣＣＨが占用する周波数領域リソースにＳＲＳをマッピングして伝送するプロセスを詳細に紹介する。
【０１１１】
ＳＲＳは、上記方式２または方式３のマッピング方式を用いる。アップリンク制御チャネルに用いられるリソースがＮ（正整数）個の時間領域リソースシンボルを占用し、１つの時間領域リソースシンボルでＭ（正整数）個のインタリービングユニットを占用すると、ＳＲＳのＮ個の時間領域リソースシンボルのうちの異なる時間領域リソースシンボルが、それぞれ異なるＭ個のインタリービングユニットを占用するように指示し、アップリンク制御チャネルに用いられるリソースにＳＲＳをマッピングして基地局に伝送する。ここで、Ｎ個の時間領域リソースシンボルが占用するすべての周波数領域リソース位置で、周波数領域で隣接も連続もしないインタリービングユニットの物理リソースブロックの間の周波数間隔は、周波数領域リソース位置のサイクリックシフトによって決められる。具体例としては、上記実施例のシチュエーション１を参照されたい。
【０１１２】
ＳＲＳが上記方式２または方式３のマッピング方式を用いる別シチュエーションにおいて、アップリンク制御チャネルに用いられるリソースがＮ（正整数）個の時間領域リソースシンボルを占用し、１つの時間領域リソースシンボル内でＭ（正整数）個のインタリービングユニットを占用すると、ＳＲＳのＬ（正整数）個毎の隣接するリソースシンボルが、一つのグループとして同一のインタリービングユニットを占用するように指示して時間領域直交符号分割を行い、アップリンク制御チャネルに用いられるリソースにＳＲＳをマッピングして基地局に伝送する。ここで、異なるグループのリソースシンボルが占用するインタリービングユニットの周波数が異なり、かつＮ個の時間領域リソースシンボルが占用する全ての周波数領域リソース位置で、周波数領域で隣接も連続もしないインタリービングユニットの物理リソースブロックＰＲＢの間の周波数間隔は、周波数領域リソース位置のサイクリックシフトによって決められる。具体例は、上記実施例のシチュエーション２を参照されたい。
【０１１３】
上記方式１の方式でＳＲＳをマッピングし、アップリンク制御チャネルに用いられるリソースがＮ（正整数）個の時間領域リソースシンボルを占用すると、ＳＲＳの各時間領域リソースシンボルが、いずれも周波数領域で連続する割り当てられないＭ（正整数）個のインタリービングユニットからなる異なる組み合わせを占用するように指示し、アップリンク制御チャネルに用いられるリソースにＳＲＳをマッピングして基地局に伝送する。ここで、Ｎ個の時間領域リソースシンボルが占用する全ての周波数領域リソース位置で、周波数領域で隣接も連続もしないインタリービングユニットの組み合わせの物理リソースブロックＰＲＢの間の周波数間隔は、周波数領域リソース位置のサイクリックシフトによって決められる。具体例としては、上記実施例のシチュエーション３を参照されたい。
【０１１４】
ＳＲＳが方式１のマッピング方式を用いる別シチュエーションにおいて、アップリンク制御チャネルに用いられるリソースがＮ（正整数）個の時間領域リソースシンボルを占用すると、ＳＲＳのＮ個の時間領域リソースシンボルの異なる時間領域リソースシンボルが、他のチャネルに割り当てられない異なるＭ（正整数）個のインタリービングユニットを占用するように指示し、アップリンク制御チャネルに用いられるリソースにＳＲＳをマッピングして基地局に伝送する。ここで、Ｎ個の時間領域リソースシンボルが占用する全ての周波数領域リソース位置で、周波数領域で隣接も連続もしないインタリービングユニットの物理リソースブロックＰＲＢの間の周波数間隔は、周波数領域リソース位置のサイクリックシフトによって決められる。具体例としては、上記実施例のシチュエーション４を参照されたい。
【０１１５】
当該実施例において、アップリンク制御チャネルに用いられるリソース位置を確定した後に、異なる時間領域リソースシンボルで異なる周波数領域リソースを占用する方式で、伝送するサウンディング参照信号ＳＲＳをアップリンク制御チャネルにマッピングして基地局に伝送することによって、ＳＲＳを伝送する周波数領域リソースの間の周波数間隔を縮小し、ある程度でチャネル推定精度を向上させる。
【０１１６】
図１６に示されるように、一部の実施例として、サウンディング参照信号の伝送方法は、具体的に下記ステップを含む。
【０１１７】
ステップＳ１６１において、アップリンク伝送チャネルの先頭Ａ（正整数）個のシンボルまたは末尾Ａ個のシンボルを、サウンディング参照信号ＳＲＳのアップリンク制御チャネルに用いられる時間領域リソース位置として確定する。
【０１１８】
図１７に示されるように、アップリンク伝送チャネルは、ＰＵＳＣＨ／ＭＦ‐ｅＰＵＣＣＨを含む。ＰＵＳＣＨ／ＭＦ‐ｅＰＵＣＣＨサブフレームの先頭Ａ個のシンボルまたは末尾Ａ個のシンボルを、ＳＲＳのアップリンク制御チャネルとする。すなわち、時間領域で、ＳＲＳは、ＰＵＳＣＨ／ＭＦ‐ｅＰＵＣＣＨの先頭Ａ個のシンボルで送信されてもよいし、またはＰＵＳＣＨ／ＭＦ‐ｅＰＵＣＣＨの末尾Ａ個のシンボルで送信されてもよい。
【０１１９】
ステップＳ１６２において、アップリンク制御チャネルの先頭Ａ個のシンボルまたは末尾Ａ個のシンボルに占用される周波数領域リソース位置が、アップリンク伝送チャネルのほかのシンボルに占用される周波数領域リソース位置とは異なる方式で、アップリンク制御チャネルの先頭Ａ個のシンボルまたは末尾Ａ個のシンボルにＳＲＳをマッピングして基地局に伝送する。
【０１２０】
すなわち、図１７に示されるように、同一サブフレームにおいて、ＰＵＳＣＨ／ＭＦ‐ｅＰＵＣＣＨで伝送されるほかのデータに占用される周波数領域リソース位置は、ＳＲＳの伝送に占用される周波数領域リソース位置とは異なる。このように、ＰＵＳＣＨ／ＭＦ‐ｅＰＵＣＣＨの中のほかの制御信号（例えばＤＭＲＳ）とＳＲＳを統合する方式によって参照信号の周波数領域密度を高め、チャネル推定精度を向上させる。
【０１２１】
例えば、同一ユーザ端末のＳＲＳおよびＰＵＳＣＨ／ＭＦ‐ｅＰＵＣＣＨが同一サブフレームで伝送される場合、ＳＲＳがＢ‐ＩＦＤＭＡまたはｉｎｔｅｒｌａｃｅ内のサブキャリア間隔が２であるＩＦＤＭＡを用いると、ＳＲＳは、ＰＵＳＣＨ／ＭＦ‐ｅＰＵＣＣＨとは異なるｉｎｔｅｒｌａｃｅを占用する。時間領域で、ＳＲＳは、ＰＵＳＣＨ／ＭＦ‐ｅＰＵＣＣＨの後（ｃａｓｅ１）にあってもよくその前（ｃａｓｅ２）にあってもよい。周波数領域で、ＳＲＳが占用するｉｎｔｅｒｌａｃｅは、ＰＵＳＣＨ／ＭＦ‐ｅＰＵＣＣＨが占用するリソースの間隔の中間周波数位置である。ＰＵＳＣＨ／ＭＦ‐ｅＰＵＣＣＨの中のＤＭＲＳおよびＳＲＳを統合することによって参照信号の周波数領域密度を高め、チャネル推定精度を向上させる。
【０１２２】
図１８に示されるように、一部の実施例として、サウンディング参照信号の伝送装置１６０は、サウンディング参照信号ＳＲＳのアップリンク制御チャネルに用いられるリソース位置を確定することに用いられる処理モジュール１８１と、異なる時間領域リソースシンボルで、異なる周波数領域リソースを占用する方式で、アップリンク制御チャネルに用いられるリソースによって前記ＳＲＳを基地局に伝送することに用いられる送信モジュール１８２とを備える。
【０１２３】
ここで、送信モジュール１８２は、周波数領域リソース位置でのサイクリックシフトにしたがって、ＳＲＳを、異なる時間領域リソースで、異なる周波数領域リソースにマッピングして基地局に伝送することに用いられる送信ユニットを備える。ここで、周波数領域リソース位置でのサイクリックシフトは、アップリンク制御チャネルに用いられるリソースの時間領域リソースシンボル数、および、同一時間領域リソースでＳＲＳに占用される周波数領域リソースの周波数間隔によって決められる。
【０１２４】
ここで、送信ユニットは、アップリンク制御チャネルに用いられるリソースがＮ（正整数）個の時間領域リソースシンボルを占用し、１つの時間領域リソースシンボルでＭ（正整数）個のインタリービングユニットを占用すると、ＳＲＳのＮ個の時間領域リソースシンボルのうちの異なる時間領域リソースシンボルが、それぞれ異なるＭ個のインタリービングユニットを占用するように指示することに用いられる第１指示サブユニットと、アップリンク制御チャネルに用いられるリソースにＳＲＳをマッピングして基地局に伝送することに用いられる第１送信サブユニットを備える。ここで、Ｎ個の時間領域リソースシンボルが占用する全ての周波数領域リソース位置で、周波数領域で隣接も連続もしないインタリービングユニットの物理リソースブロックの間の周波数間隔は、周波数領域リソース位置のサイクリックシフトによって決められる。
【０１２５】
ここで、送信ユニットは、アップリンク制御チャネルに用いられるリソースがＮ（正整数）個の時間領域リソースシンボルを占用し、１つの時間領域リソースシンボル内でＭ（正整数）個のインタリービングユニットを占用すると、ＳＲＳのＬ（正整数）個毎の隣接するリソースシンボルが、一つのグループとして同一のインタリービングユニットを占用するように指示し、時間領域直交符号分割を行うことに用いられる第２指示サブユニットと、アップリンク制御チャネルに用いられるリソースにＳＲＳをマッピングして基地局に伝送することに用いられる第２送信サブユニットとをさらに備える。ここで、異なるグループの時間領域リソースシンボルが占用するインタリービングユニットの周波数が異なり、かつＮ個の時間領域リソースシンボルが占用する全ての周波数領域リソース位置で、周波数領域で隣接も連続もしないインタリービングユニットの物理リソースブロックＰＲＢの間の周波数間隔は、周波数領域リソース位置でのサイクリックシフトによって決められる。
【０１２６】
送信ユニットは、アップリンク制御チャネルに用いられるリソースがＮ（正整数）個の時間領域リソースシンボルを占用すると、ＳＲＳの各時間領域リソースシンボルが、いずれも周波数領域で連続する割り当てられないＭ（正整数）個のインタリービングユニットからなる異なる組み合わせを占用するように指示することに用いられる第３指示サブユニットと、アップリンク制御チャネルに用いられるリソースにＳＲＳをマッピングして基地局に伝送することに用いられる第３送信サブユニットとをさらに備える。ここで、Ｎ個の時間領域リソースシンボルが占用する全ての周波数領域リソース位置で、周波数領域で隣接も連続もしないインタリービングユニットの組み合わせの物理リソースブロックＰＲＢの間の周波数間隔は、前記周波数領域リソース位置でのサイクリックシフトによって決められる。
【０１２７】
送信ユニットは、アップリンク制御チャネルに用いられるリソースがＮ（正整数）個の時間領域リソースシンボルを占用すると、ＳＲＳのＮ個の時間領域リソースシンボルの異なる時間領域リソースシンボルが、他のチャネルに割り当てられないＭ（正整数）個の異なるインタリービングユニットを占用するように指示することに用いられる第４指示サブユニットと、アップリンク制御チャネルに用いられるリソースにＳＲＳをマッピングして基地局に伝送することに用いられる第４送信サブユニットとをさらに備える。ここで、Ｎ個の時間領域リソースシンボルが占用する全ての周波数領域リソース位置で、周波数領域で隣接も連続もしないインタリービングユニットの物理リソースブロックＰＲＢの間の周波数間隔は、周波数領域リソース位置でのサイクリックシフトによって決められる。
【０１２８】
ここで、処理モジュール１８１は、アップリンク伝送チャネルの先頭Ａ（正整数）個のシンボルまたは末尾Ａ個のシンボルを、サウンディング参照信号ＳＲＳのアップリンク制御チャネルに用いられる時間領域リソース位置として確定することに用いられる処理ユニットをさらに備える。
【０１２９】
さらに、送信モジュール１８２は、アップリンク制御チャネルの先頭Ａ個のシンボルまたは末尾Ａ個のシンボルに占用される周波数領域リソース位置が、アップリンク伝送チャネルのほかのシンボルに占用される周波数領域リソース位置とは異なる方式で、アップリンク制御チャネルの先頭Ａ個のシンボルまたは末尾Ａ個のシンボルにＳＲＳをマッピングして基地局に伝送する。
【０１３０】
図１９に示されるように、一部の実施例における端末は、サウンディング参照信号ＳＲＳのアップリンク制御チャネルに用いられるリソースの位置を確定する機能を実現することに用いられるプロセッサ１９１と、異なる時間領域リソースシンボルが異なる周波数領域リソースを占用する方式を用いて、アップリンク制御チャネルに用いられるリソースによってＳＲＳを基地局に伝送することに用いられ、プロセッサに接続される送信機１９２とを備える。
【０１３１】
図２０は、本発明の実施例の伝送装置または端末を実現することに好適なコンピュータシステム２００の構造概略図である。
【０１３２】
図２０に示されるように、コンピュータシステム２００は、リードオンリーメモリ（ＲＯＭ）２０２に記憶されているプログラムまたは記憶部２０８からランダムアクセスメモリ（ＲＡＭ）２０３にロードされるプログラムに基づいて、各種類の適切な動作や処理を実行することができる中央処理ユニット（ＣＰＵ）２０１を備える。ＲＡＭ２０３には、システム２００の操作に必要される各種類のプログラムとデータも記憶されている。ＣＰＵ２０１、ＲＯＭ２０２およびＲＡＭ２０３は、バス２０４を介して互いに接続される。入力／出力（Ｉ／Ｏ）インタフェース２０５もバス２０４に接続される。
【０１３３】
Ｉ／Ｏインタフェース２０５には、キーボード、マウスなどを有する入力部２０６と、陰極線管（ＣＲＴ）、液晶ディスプレイ（ＬＣＤ）およびスピーカーなどを有する出力部２０７と、ハードディスクなどを有する記憶部２０８と、ＬＡＮカード、モデムなどのネットワークインタフェースカードを有する通信部２０９が接続される。通信部２０９は、インターネットなどのネットワークを介して通信処理を実行する。ドライバ２１０も必要に応じてＩ／Ｏインタフェース２０５に接続される。磁気ディスク、光ディスク、光磁気ディスク、半導体メモリなどのリムーバブル媒体は、必要に応じてドライバ２１０に取り付けられ、その中から読み出されるコンピュータプログラムが必要に応じて記憶部２０８にインストールされる。
【０１３４】
特に、本発明の実施例に基づき、以上フローチャートを参照して記載したプロセスは、コンピュータソフトウェアプログラムとして実現されうる。例えば、本発明の実施例は、コンピュータプログラムプロダクトを含む。コンピュータプログラムプロダクトは、機器読取可能な媒体に有形的に含まれるコンピュータプログラムを含む。コンピュータプログラムは、上記フローチャートの方法を実行するためのプログラムコードを含む。このような実施例において、当該コンピュータプログラムは、通信部２０９によってネットワークからダウンロードされてインストールされ、および／または、リムーバブル媒体２１１からインストールされる。
【０１３５】
添付図面のフローチャートとブロック図は、本発明の各種類の実施例のシステム、方法およびコンピュータプログラムプロダクトに基づいて実現されうる体系アーキテクチャー、機能および操作を図示する。この点から言うと、フローチャートまたはブロック図の中の各ブロックは、１つのモジュール、プログラムセグメント、またはコードの一部を示す。モジュール、プログラムセグメント、またはコードの一部は、規定された論理的な機能を実現するための実行可能な指令を一つまたは複数含む。なお、一部の差し替えとする実現において、ブロックに示される機能は、図面で記されている順とは異なる順に発生してもよい。例えば、２つの接続するように示されているブロックは、実際に基本的に並行に実行されてもよく、逆順で実行できることもあるが、関わる機能によって決められる。なお、ブロック図および／またはフローチャートの中の各ブロック、および、ブロック図および／またはフローチャートの中のブロックの組み合わせは、規定された機能や操作を実行するハードウェアに基づいた専用システムによって実現されてもよく、専用ハードウェアとコンピュータ指令の組み合わせによって実現されてもよい。
【０１３６】
本願実施例に係るユニットまたはモジュールは、ソフトウェア方式で実現されてもよく、ハードウェア方式で実現されてもよい。記載されるユニットまたはモジュールは、プロセッサに設けられてもよい。これらのユニットまたはモジュールの名称は、場合によって、当該ユニットまたはモジュール自身に対する限定を構成しない。なお、本発明の装置および方法において、明らかに、各部材または各ステップの分解および／または新たな組み合わせが可能である。これらの分解および／または新たな組み合わせは、本発明の同等効果の手段と見なされるべきである。しかも、上記一連の処理を実行するステップは、自然的に説明の順番で時間順に実行されてもよいが、必ず時間順に実行されるという必要はない。一部のステップは、並行にまたは互いに独立に実行されてもよい。
【０１３７】
Ａ１）サウンディング参照信号の伝送方法において、サウンディング参照信号ＳＲＳのアップリンク制御チャネルに用いられるリソース位置を確定するステップと、異なる時間領域リソースシンボルで、異なる周波数領域リソースを占用する方式で、アップリンク制御チャネルに用いられるチャネルリソースによってＳＲＳを基地局に伝送するステップとを含む。
【０１３８】
Ａ２）Ａ１に記載のサウンディング参照信号の伝送方法において、異なる時間領域リソースシンボルで、異なる周波数領域リソースを占用する方式で、アップリンク制御チャネルに用いられるチャネルリソースによってＳＲＳを基地局に伝送するステップは、周波数領域リソース位置でのサイクリックシフトにしたがって、ＳＲＳを、異なる時間領域リソースで、異なる周波数領域リソースにマッピングして基地局に伝送するステップを含み、ここで、周波数領域リソース位置でのサイクリックシフトは、アップリンク制御チャネルに用いられるチャネルリソースの時間領域リソースシンボル数、および、同一時間領域リソースでＳＲＳに占用される周波数領域リソースの周波数間隔によって決められる。
【０１３９】
Ａ３）Ａ２に記載のサウンディング参照信号の伝送方法において、周波数領域リソース位置でのサイクリックシフトにしたがって、ＳＲＳを、異なる時間領域リソースで、異なる周波数領域リソースにマッピングして基地局に伝送するステップは、アップリンク制御チャネルに用いられるリソースがＮ（正整数）個の時間領域リソースシンボルを占用し、１つの時間領域リソースシンボルでＭ（正整数）個のインタリービングユニットを占用すると、ＳＲＳのＮ個の時間領域リソースシンボルのうちの異なる時間領域リソースシンボルが、それぞれ異なるＭ個のインタリービングユニットを占用するように指示することと、アップリンク制御チャネルに用いられるチャネルリソースにＳＲＳをマッピングして基地局に伝送するステップとを含み、ここで、Ｎ個の時間領域リソースシンボルが占用する全ての周波数領域リソース位置で、周波数領域で隣接も連続もしないインタリービングユニットの物理リソースブロックの間の周波数間隔は、周波数領域リソース位置のサイクリックシフトによって決められる。
【０１４０】
Ａ４）Ａ２に記載のサウンディング参照信号の伝送方法において、周波数領域リソース位置でのサイクリックシフトにしたがって、ＳＲＳを、異なる時間領域リソースで、異なる周波数領域リソースにマッピングして基地局に伝送するステップは、アップリンク制御チャネルに用いられるリソースがＮ（正整数）個の時間領域リソースシンボルを占用し、１つの時間領域リソースシンボル内でＭ（正整数）個のインタリービングユニットを占用すると、ＳＲＳのＬ（正整数）個毎の隣接するリソースシンボルが、一つのグループとして同一のインタリービングユニットを占用するように指示し、時間領域直交符号分割を行うことと、アップリンク制御チャネルに用いられるチャネルリソースにＳＲＳをマッピングして基地局に伝送することとを含み、ここで、異なるグループの時間領域リソースシンボルが占用するインタリービングユニットの周波数が異なり、かつＮ個の時間領域リソースシンボルが占用する全ての周波数領域リソース位置で、周波数領域で隣接も連続もしないインタリービングユニットの物理リソースブロックＰＲＢの間の周波数間隔は、周波数領域リソース位置でのサイクリックシフトによって決められる。
【０１４１】
Ａ５）Ａ２に記載のサウンディング参照信号の伝送方法において、周波数領域リソース位置でのサイクリックシフトにしたがって、ＳＲＳを、異なる時間領域リソースで、異なる周波数領域リソースにマッピングして基地局に伝送するステップは、アップリンク制御チャネルに用いられるリソースがＮ（正整数）個の時間領域リソースシンボルを占用すると、ＳＲＳの各時間領域リソースシンボルが、いずれも周波数領域で連続する割り当てられないＭ（正整数）個のインタリービングユニットからなる異なる組み合わせを占用するように指示することと、アップリンク制御チャネルに用いられるチャネルリソースにＳＲＳをマッピングして基地局に伝送することとを含み、ここで、Ｎ個の時間領域リソースシンボルが占用する全ての周波数領域リソース位置で、周波数領域で隣接も連続もしないインタリービングユニットの組み合わせの物理リソースブロックＰＲＢの間の周波数間隔は、周波数領域リソース位置でのサイクリックシフトによって決められる。
【０１４２】
Ａ６）Ａ２に記載のサウンディング参照信号の伝送方法において、周波数領域リソース位置でのサイクリックシフトにしたがって、ＳＲＳを、異なる時間領域リソースで、異なる周波数領域リソースにマッピングして基地局に伝送するステップは、アップリンク制御チャネルに用いられるリソースがＮ（正整数）個の時間領域リソースシンボルを占用すると、ＳＲＳのＮ個の時間領域リソースシンボルでの異なる時間領域リソースシンボルが、それぞれ他のチャネルに割り当てられないＭ（正整数）個の異なるインタリービングユニットを占用するように指示することと、アップリンク制御チャネルに用いられるチャネルリソースにＳＲＳをマッピングして基地局に伝送することとを含み、ここで、Ｎ個の時間領域リソースシンボルが占用する全ての周波数領域リソース位置で、周波数領域で隣接も連続もしないインタリービングユニットの物理リソースブロックＰＲＢの間の周波数間隔は、周波数領域リソース位置でのサイクリックシフトによって決められる。
【０１４３】
Ａ７）Ａ１に記載のサウンディング参照信号の伝送方法において、サウンディング参照信号ＳＲＳのアップリンク制御チャネルに用いられるリソース位置を確定するステップは、アップリンク伝送チャネルの先頭Ａ（正整数）個のシンボルまたは末尾Ａ個のシンボルを、サウンディング参照信号ＳＲＳのアップリンク制御チャネルに用いられる時間領域リソース位置として確定することを含む。
【０１４４】
Ａ８）Ａ７に記載のサウンディング参照信号の伝送方法において、異なる時間領域リソースシンボルで、異なる周波数領域リソースを占用する方式で、アップリンク制御チャネルに用いられるチャネルリソースによってＳＲＳを基地局に伝送するステップは、アップリンク制御チャネルの先頭Ａ個のシンボルまたは末尾Ａ個のシンボルに占用される周波数領域リソース位置が、アップリンク伝送チャネルのほかのシンボルに占用される周波数領域リソース位置とは異なる方式で、アップリンク制御チャネルの先頭Ａ個のシンボルまたは末尾Ａ個のシンボルにＳＲＳをマッピングして基地局に伝送することを含む。
【０１４５】
Ｂ１）サウンディング参照信号の伝送装置において、サウンディング参照信号ＳＲＳのアップリンク制御チャネルに用いられるリソース位置を確定することに用いられる処理モジュールと、異なる時間領域リソースシンボルで、異なる周波数領域リソースを占用する方式で、アップリンク制御チャネルに用いられるチャネルリソースによってＳＲＳを基地局に伝送することに用いられる送信モジュールとを備える。
【０１４６】
Ｃ１）端末において、サウンディング参照信号ＳＲＳのアップリンク制御チャネルに用いられるリソース位置を確定する機能を実現することに用いられるプロセッサと、異なる時間領域リソースシンボルで、異なる周波数領域リソースを占用する方式で、アップリンク制御チャネルに用いられるチャネルリソースによってＳＲＳを基地局に伝送することに用いられ、プロセッサに接続される送信機とを備える。
【０１４７】
Ｄ１）サウンディング参照信号の伝送方法において、スケジューリングされるアップリンク伝送チャネルのスケジューリング情報を取得するステップと、アップリンク伝送チャネルのスケジューリング情報と、アップリンク制御信号伝送用のアップリンク制御チャネルに用いられるリソースとの所定のマッピング関係に基づいて、スケジューリングされるアップリンク伝送チャネルのスケジューリング情報に対応するアップリンク制御チャネルに用いられるリソースを確定するステップと、アップリンク制御チャネルに用いられるリソースを利用してサウンディング参照信号ＳＲＳを伝送するステップとを含む。
【０１４８】
Ｄ２）Ｄ１に記載のサウンディング参照信号の伝送方法において、スケジューリングされるアップリンク伝送チャネルのスケジューリング情報を取得するステップは、スケジューリングされるアップリンク伝送チャネルのスケジューリング情報を基地局から取得することを含む。
【０１４９】
Ｄ３）Ｄ１に記載のサウンディング参照信号の伝送方法において、アップリンク伝送チャネルのスケジューリング情報と、アップリンク制御信号伝送用のアップリンク制御チャネルに用いられるリソースとの所定のマッピング関係に基づいて、スケジューリングされるアップリンク伝送チャネルのスケジューリング情報に対応するアップリンク制御チャネルに用いられるリソースを確定するステップは、アップリンク伝送チャネルのスケジューリング情報と、アップリンク制御信号伝送用のアップリンク制御チャネルに用いられるリソースとの所定のマッピング関係から、スケジューリングされるアップリンク伝送チャネルのスケジューリング情報に対応するスケジューリングされないアップリンク制御チャネルに用いられるリソースを確定するステップを含む。
【０１５０】
Ｄ４）Ｄ１に記載のサウンディング参照信号の伝送方法において、スケジューリング情報は、アップリンク伝送チャネルのアップリンクグラントに付帯される制御チャネル要素ＣＣＥ番号または拡張制御チャネル要素ＥＣＣＥ番号、スケジューリングされるアップリンク伝送チャネルが占用する周波数領域リソース番号、スケジューリングされるアップリンク伝送チャネルが占用するシーケンス番号およびサイクリックシフト番号、および、スケジューリングされる前記アップリンク伝送チャネルが占用する直交カバーコードＯＣＣシーケンス番号のうちの少なくとも１つを含み、マッピング関係は、アップリンク伝送チャネルのスケジューリング情報と、アップリンク制御チャネルに用いられるリソースの番号とのマッピング関係を含む。
【０１５１】
Ｄ５）Ｄ１に記載のサウンディング参照信号の伝送方法において、アップリンク制御チャネルに用いられるリソースを利用してサウンディング参照信号ＳＲＳを伝送するステップは、異なる時間領域リソースシンボルで、異なる周波数領域リソースを占用する方式で、アップリンク制御チャネルに用いられるリソースによってＳＲＳを基地局に伝送するステップを含む。
【０１５２】
Ｄ６）Ｄ５に記載のサウンディング参照信号の伝送方法において、異なる時間領域リソースシンボルで、異なる周波数領域リソースを占用する方式で、アップリンク制御チャネルに用いられるリソースによってＳＲＳを基地局に伝送するステップは、周波数領域リソース位置でのサイクリックシフトにしたがって、ＳＲＳを、異なる時間領域リソースで、異なる周波数領域リソースにマッピングして基地局に伝送するステップを含み、ここで、周波数領域リソース位置でのサイクリックシフトは、アップリンク制御チャネルに用いられるリソースの時間領域リソースシンボル数、および、同一時間領域リソースでＳＲＳに占用される周波数領域リソースの周波数間隔によって決められる。
【０１５３】
Ｄ７）Ｄ６に記載のサウンディング参照信号の伝送方法において、周波数領域リソース位置でのサイクリックシフトにしたがって、ＳＲＳを、異なる時間領域リソースで、異なる周波数領域リソースにマッピングして基地局に伝送するステップは、アップリンク制御チャネルに用いられるリソースがＮ（正整数）個の時間領域リソースシンボルを占用し、１つの時間領域リソースシンボルでＭ（正整数）個のインタリービングユニットを占用すると、ＳＲＳのＮ個の時間領域リソースシンボルのうちの異なる時間領域リソースシンボルが、それぞれ異なるＭ個のインタリービングユニットを占用するように指示することと、アップリンク制御チャネルに用いられるリソースにＳＲＳをマッピングして基地局に伝送するステップとを含み、ここで、Ｎ個の時間領域リソースシンボルが占用する全ての周波数領域リソース位置で、周波数領域で隣接も連続もしないインタリービングユニットの物理リソースブロックの間の周波数間隔は、周波数領域リソース位置のサイクリックシフトによって決められる。
【０１５４】
Ｄ８）Ｄ６に記載のサウンディング参照信号の伝送方法において、周波数領域リソース位置でのサイクリックシフトにしたがって、ＳＲＳを、異なる時間領域リソースで、異なる周波数領域リソースにマッピングして基地局に伝送するステップは、アップリンク制御チャネルに用いられるリソースがＮ（正整数）個の時間領域リソースシンボルを占用し、１つの時間領域リソースシンボル内でＭ（正整数）個のインタリービングユニットを占用すると、ＳＲＳのＬ（正整数）個毎の隣接するリソースシンボルが一つのグループとして同一のインタリービングユニットを占用するように指示し、時間領域直交符号分割を行うことと、アップリンク制御チャネルに用いられるリソースにＳＲＳをマッピングして基地局に伝送することとを含み、ここで、異なるグループの時間領域リソースシンボルが占用するインタリービングユニットの周波数が異なり、かつＮ個の時間領域リソースシンボルが占用する全ての周波数領域リソース位置で、周波数領域で隣接も連続もしないインタリービングユニットの物理リソースブロックＰＲＢの間の周波数間隔は、周波数領域リソース位置でのサイクリックシフトによって決められる。
【０１５５】
Ｄ９）Ｄ６に記載のサウンディング参照信号の伝送方法において、周波数領域リソース位置でのサイクリックシフトにしたがって、ＳＲＳを、異なる時間領域リソースで、異なる周波数領域リソースにマッピングして基地局に伝送するステップは、アップリンク制御チャネルに用いられるリソースがＮ（正整数）個の時間領域リソースシンボルを占用すると、ＳＲＳの各時間領域リソースシンボルが、いずれも周波数領域で連続する割り当てられないＭ（正整数）個のインタリービングユニットからなる異なる組み合わせを占用するように指示することと、アップリンク制御チャネルに用いられるリソースにＳＲＳをマッピングして基地局に伝送することとを含み、ここで、Ｎ個の時間領域リソースシンボルが占用する全ての周波数領域リソース位置で、周波数領域で隣接も連続もしないインタリービングユニットの組み合わせの物理リソースブロックＰＲＢの間の周波数間隔は、周波数領域リソース位置でのサイクリックシフトによって決められる。
【０１５６】
Ｄ１０）Ｄ６に記載のサウンディング参照信号の伝送方法において、周波数領域リソース位置でのサイクリックシフトにしたがって、ＳＲＳを、異なる時間領域リソースで、異なる周波数領域リソースにマッピングして基地局に伝送するステップは、アップリンク制御チャネルに用いられるリソースがＮ（正整数）個の時間領域リソースシンボルを占用すると、ＳＲＳのＮ個の時間領域リソースシンボルの異なる時間領域リソースシンボルが、それぞれ他のチャネルに割り当てられないＭ（正整数）個の異なるインタリービングユニットを占用するように指示することと、アップリンク制御チャネルに用いられるリソースにＳＲＳをマッピングして基地局に伝送することとを含み、ここで、Ｎ個の時間領域リソースシンボルが占用する全ての周波数領域リソース位置で、周波数領域で隣接も連続もしないインタリービングユニットの物理リソースブロックＰＲＢの間の周波数間隔は、周波数領域リソース位置でのサイクリックシフトによって決められる。
【０１５７】
Ｄ１１）Ｄ７からＤ１０のいずれかに記載のサウンディング参照信号の伝送方法において、アップリンク伝送チャネルは、物理アップリンクシェアドチャネルＰＵＳＣＨ／物理アップリンク制御チャネルＭＦ‐ｅＰＵＣＣＨであり、アップリンク制御チャネルは、ＭＦ‐ｓＰＵＣＣＨである
【０１５８】
Ｄ１２）Ｄ１に記載のサウンディング参照信号の伝送方法において、アップリンク伝送チャネルのスケジューリング情報と、アップリンク制御信号伝送用のアップリンク制御チャネルに用いられるリソースとの所定のマッピング関係は、アップリンク伝送チャネルのスケジューリング情報と、アップリンク制御信号伝送用のアップリンク制御チャネルに用いられる全てのリソースとの所定のマッピング関係、または、アップリンク伝送チャネルのスケジューリング情報と、アップリンク制御信号伝送用のアップリンク制御チャネルに用いられるスケジューリングされないリソースとの所定のマッピング関係を含む。
【０１５９】
Ｄ１３）Ｄ３に記載のサウンディング参照信号の伝送方法において、アップリンク伝送チャネルのスケジューリング情報と、アップリンク制御信号伝送用のアップリンク制御チャネルに用いられるリソースとの所定のマッピング関係から、スケジューリングされるアップリンク伝送チャネルのスケジューリング情報に対応するスケジューリングされないアップリンク制御チャネルに用いられるリソースを確定するステップは、基地局から、ＲＲＣで配置され、またはコモン物理ダウンリンクコモンチャネルで指示されるスケジューリングされるリソースとスケジューリングされないリソースの区分情報を取得することと、区分情報、スケジューリング情報、および、アップリンク伝送チャネルのスケジューリング情報とアップリンク制御信号伝送用のアップリンク制御チャネルに用いられるリソースとの所定のマッピング関係に基づいて、スケジューリングされるアップリンク伝送チャネルのスケジューリング情報に対応するスケジューリングされないアップリンク制御チャネルに用いられるリソースを確定することを含む。
【０１６０】
Ｅ１４）サウンディング参照信号の伝送装置において、スケジューリングされるアップリンク伝送チャネルのスケジューリング情報を取得することに用いられる取得モジュールと、アップリンク伝送チャネルのスケジューリング情報と、アップリンク制御信号伝送用のアップリンク制御チャネルに用いられるリソースとの所定のマッピング関係に基づいて、スケジューリングされるアップリンク伝送チャネルのスケジューリング情報に対応するアップリンク制御チャネルに用いられるリソースを確定することに用いられる処理モジュールと、アップリンク制御チャネルに用いられるリソースを利用してサウンディング参照信号ＳＲＳを伝送することに用いられる送信モジュールとを備える。
【０１６１】
Ｆ１５）端末において、スケジューリングされるアップリンク伝送チャネルのスケジューリング情報を受信することに用いられる受信機と、アップリンク伝送チャネルのスケジューリング情報と、アップリンク制御信号伝送用のアップリンク制御チャネルに用いられるリソースとの所定のマッピング関係に基づいて、スケジューリングされるアップリンク伝送チャネルのスケジューリング情報に対応するアップリンク制御チャネルに用いられるリソースを確定する機能を実現することに用いられ、受信機に接続されるプロセッサと、アップリンク制御チャネルに用いられるリソースを利用してサウンディング参照信号ＳＲＳを伝送することに用いられ、プロセッサに接続される送信機とを備える。
【０１６２】
以上の記載は、本発明の好適な実施形態である。なお、当業者にとって、本発明に記載される原理から逸脱することなく、若干の改良や修飾を行うことができる。これらの改良または修飾も、本発明の保護範囲とみなされるべきである。
【図１】
2019507987.tif 000003
【図２】
2019507987.tif 000004
【図３】
2019507987.tif 000005
【図４】
2019507987.tif 000006
【図５】
2019507987.tif 000007
【図６】
2019507987.tif 000008
【図７】
2019507987.tif 000009
【図８】
2019507987.tif 000010
【図９】
2019507987.tif 000011
【図１０】
2019507987.tif 000012
【図１１】
2019507987.tif 000013
【図１２】
2019507987.tif 000014
【図１３】
2019507987.tif 000015
【図１４】
2019507987.tif 000016
【図１５】
2019507987.tif 000017
【図１６】
2019507987.tif 000018
【図１７】
2019507987.tif 000019
【図１８】
2019507987.tif 000020
【図１９】
2019507987.tif 000021
【図２０】
2019507987.tif 000022
【手続補正書】
【提出日】平成30年8月24日(2018.8.24)
【手続補正１】
【補正対象書類名】特許請求の範囲
【補正対象項目名】全文
【補正方法】変更
【補正の内容】
【特許請求の範囲】
【請求項１】
アップリンク伝送チャネルがスケジューリングされると、前記アップリンク伝送チャネルのスケジューリング情報を取得するステップと、
前記アップリンク伝送チャネルの前記スケジューリング情報と、アップリンク制御信号伝送用のアップリンク制御チャネルに用いられるリソースとの所定のマッピング関係に基づいて、前記アップリンク伝送チャネルの前記スケジューリング情報に対応する前記アップリンク制御チャネルに用いられる前記リソースを確定するステップと、
前記アップリンク制御チャネルに用いられる前記リソースを利用してサウンディング参照信号を伝送するステップとを含むサウンディング参照信号の伝送方法。
【請求項２】
前記アップリンク伝送チャネルがスケジューリングされると、該アップリンク伝送チャネルの前記スケジューリング情報を取得するステップは、
前記アップリンク伝送チャネルがスケジューリングされると、該アップリンク伝送チャネルの前記スケジューリング情報を基地局から取得することを含む請求項１に記載のサウンディング参照信号の伝送方法。
【請求項３】
前記アップリンク伝送チャネルの前記スケジューリング情報と、前記アップリンク制御信号伝送用の前記アップリンク制御チャネルに用いられる前記リソースとの所定の前記マッピング関係に基づいて、前記アップリンク伝送チャネルの前記スケジューリング情報に対応する前記アップリンク制御チャネルに用いられる前記リソースを確定するステップは、
前記アップリンク伝送チャネルの前記スケジューリング情報と、前記アップリンク制御信号伝送用の前記アップリンク制御チャネルに用いられる前記リソースとの所定の前記マッピング関係から、前記アップリンク伝送チャネルの前記スケジューリング情報に対応するスケジューリングされない前記アップリンク制御チャネルに用いられるリソースを確定するステップを含む請求項１に記載のサウンディング参照信号の伝送方法。
【請求項４】
前記スケジューリング情報は、
前記アップリンク伝送チャネルのアップリンクグラントに付帯される制御チャネル要素番号または拡張制御チャネル要素番号、スケジューリングされる前記アップリンク伝送チャネルが占用する周波数領域リソース番号、スケジューリングされる前記アップリンク伝送チャネルが占用するシーケンス番号およびサイクリックシフト番号、および、スケジューリングされる前記アップリンク伝送チャネルが占用する直交カバーコードシーケンス番号のうちの少なくとも１つを含み、
前記マッピング関係は、
前記アップリンク伝送チャネルの前記スケジューリング情報と、前記アップリンク制御チャネルに用いられる前記リソースの番号とのマッピング関係を含む請求項１に記載のサウンディング参照信号の伝送方法。
【請求項５】
前記前記アップリンク制御チャネルに用いられる前記リソースを利用して前記サウンディング参照信号を伝送するステップは、
異なる時間領域リソースシンボルで、異なる周波数領域リソースを占用する方式で、前記アップリンク制御チャネルに用いられる前記リソースによって前記サウンディング参照信号を基地局に伝送するステップを含み、
異なる時間領域リソースシンボルで、異なる周波数領域リソースを占用する方式で、前記アップリンク制御チャネルに用いられる前記リソースによって前記サウンディング参照信号を前記基地局に伝送するステップは、
周波数領域リソース位置でのサイクリックシフトにしたがって、前記サウンディング参照信号を、異なる時間領域リソースで、異なる周波数領域リソースにマッピングして前記基地局に伝送するステップを含み、
ここで、前記周波数領域リソース位置での前記サイクリックシフトは、前記アップリンク制御チャネルに用いられる前記リソースの時間領域リソースシンボル数、および、同一時間領域リソースで前記サウンディング参照信号により占用される周波数領域リソースの周波数間隔によって決められる請求項１に記載のサウンディング参照信号の伝送方法。
【請求項６】
前記周波数領域リソース位置での前記サイクリックシフトにしたがって、前記サウンディング参照信号を、異なる時間領域リソースで、異なる周波数領域リソースにマッピングして前記基地局に伝送するステップは、
前記アップリンク制御チャネルに用いられる前記リソースがＮ（正整数）個の時間領域リソースシンボルを占用し、１つの時間領域リソースシンボルでＭ（正整数）個のインタリービングユニットを占用すると、前記サウンディング参照信号のＮ個の時間領域リソースシンボルのうちの異なる時間領域リソースシンボルが、それぞれ異なるＭ個のインタリービングユニットを占用するように指示することと、
前記サウンディング参照信号を、前記アップリンク制御チャネルに用いられる前記リソースにマッピングして前記基地局に伝送するステップとを含み、
ここで、Ｎ個の時間領域リソースシンボルが占用する全ての前記周波数領域リソース位置で、周波数領域で隣接も連続もしないインタリービングユニットの物理リソースブロックの間の周波数間隔は、前記周波数領域リソース位置の前記サイクリックシフトによって決められる、または、
前記周波数領域リソース位置での前記サイクリックシフトにしたがって、前記サウンディング参照信号を、異なる時間領域リソースで、異なる周波数領域リソースにマッピングして前記基地局に伝送するステップは、
前記アップリンク制御チャネルに用いられる前記リソースがＮ（正整数）個の時間領域リソースシンボルを占用し、１つの時間領域リソースシンボル内でＭ（正整数）個のインタリービングユニットを占用すると、前記サウンディング参照信号のＬ（正整数）個毎の隣接するリソースシンボルが、一つのグループとして同一のインタリービングユニットを占用するように指示し、時間領域直交符号分割を行うことと、
前記サウンディング参照信号を、前記アップリンク制御チャネルに用いられる前記リソースにマッピングして前記基地局に伝送することとを含み、
ここで、異なるグループの時間領域リソースシンボルが占用するインタリービングユニットの周波数が異なり、かつＮ個の時間領域リソースシンボルが占用する全ての前記周波数領域リソース位置で、周波数領域で隣接も連続もしないインタリービングユニットの物理リソースブロックの間の周波数間隔は、前記周波数領域リソース位置での前記サイクリックシフトによって決められる、または、
前記周波数領域リソース位置での前記サイクリックシフトにしたがって、前記サウンディング参照信号を、異なる時間領域リソースで、異なる周波数領域リソースにマッピングして前記基地局に伝送するステップは、
前記アップリンク制御チャネルに用いられる前記リソースがＮ（正整数）個の時間領域リソースシンボルを占用すると、前記サウンディング参照信号の各時間領域リソースシンボルが、いずれも周波数領域で連続する割り当てられないＭ（正整数）個のインタリービングユニットからなる異なる組み合わせを占用するように指示することと、
前記サウンディング参照信号を、前記アップリンク制御チャネルに用いられる前記リソースにマッピングして前記基地局に伝送することとを含み、
ここで、Ｎ個の時間領域リソースシンボルが占用する全ての前記周波数領域リソース位置で、周波数領域で隣接も連続もしないインタリービングユニットの組み合わせの物理リソースブロックの間の周波数間隔は、前記周波数領域リソース位置での前記サイクリックシフトによって決められる、または、
前記周波数領域リソース位置での前記サイクリックシフトにしたがって、前記サウンディング参照信号を、異なる時間領域リソースで、異なる周波数領域リソースにマッピングして前記基地局に伝送するステップは、
前記アップリンク制御チャネルに用いられる前記リソースがＮ（正整数）個の時間領域リソースシンボルを占用すると、前記サウンディング参照信号のＮ個の時間領域リソースシンボルの異なる時間領域リソースシンボルが、他のチャネルに割り当てられないＭ（正整数）個の異なるインタリービングユニットを占用するように指示することと、
前記サウンディング参照信号を、前記アップリンク制御チャネルに用いられる前記リソースにマッピングして前記基地局に伝送することとを含み、
ここで、Ｎ個の時間領域リソースシンボルが占用する全ての前記周波数領域リソース位置で、周波数領域で隣接も連続もしないインタリービングユニットの物理リソースブロックの間の周波数間隔は、前記周波数領域リソース位置での前記サイクリックシフトによって決められる請求項５に記載のサウンディング参照信号の伝送方法。
【請求項７】
前記アップリンク伝送チャネルは、物理アップリンクシェアドチャネルまたは拡張物理アップリンク制御チャネルであり、前記アップリンク制御チャネルは、ＭＦ‐ｓＰＵＣＣＨである請求項６に記載のサウンディング参照信号の伝送方法。
【請求項８】
前記アップリンク伝送チャネルの前記スケジューリング情報と、前記アップリンク制御信号伝送用の前記アップリンク制御チャネルに用いられる前記リソースとの所定の前記マッピング関係は、
前記アップリンク伝送チャネルの前記スケジューリング情報と、前記アップリンク制御信号伝送用の前記アップリンク制御チャネルに用いられる全ての前記リソースとの所定の前記マッピング関係、または、前記アップリンク伝送チャネルの前記スケジューリング情報と、前記アップリンク制御信号伝送用の前記アップリンク制御チャネルに用いられるスケジューリングされない前記リソースとの所定の前記マッピング関係を含む請求項１に記載のサウンディング参照信号の伝送方法。
【請求項９】
前記アップリンク伝送チャネルの前記スケジューリング情報と、前記アップリンク制御信号伝送用の前記アップリンク制御チャネルに用いられる前記リソースとの所定の前記マッピング関係から、スケジューリングされる前記アップリンク伝送チャネルの前記スケジューリング情報に対応するスケジューリングされない前記アップリンク制御チャネルに用いられる前記リソースを確定するステップは、
前記基地局から、無線リソース制御で配置され、またはコモン物理ダウンリンクコモンチャネルで指示されるスケジューリングされる前記リソースとスケジューリングされない前記リソースの区分情報を取得することと、
該区分情報、前記スケジューリング情報、および、前記アップリンク伝送チャネルの前記スケジューリング情報と前記アップリンク制御信号伝送用の前記アップリンク制御チャネルに用いられる前記リソースとの所定の前記マッピング関係に基づいて、スケジューリングされる前記アップリンク伝送チャネルの前記スケジューリング情報に対応するスケジューリングされない前記アップリンク制御チャネルに用いられる前記リソースを確定することを含む請求項６に記載のサウンディング参照信号の伝送方法。
【請求項１０】
アップリンク伝送チャネルがスケジューリングされると、該アップリンク伝送チャネルのスケジューリング情報を取得するステップと、
前記スケジューリング情報に基づいて、対応するアップリンク制御チャネルを確定するステップと、
該アップリンク制御チャネルを利用してサウンディング参照信号を伝送するステップとを含むサウンディング参照信号の伝送方法。
【請求項１１】
前記アップリンク制御チャネルを利用して前記サウンディング参照信号を伝送するステップは、
ダウンリンク制御情報に基づき、前記アップリンク制御チャネルの後に隣接する前記アップリンク伝送チャネルのみでアップリンクスケジューリング伝送が行われると、前記アップリンク制御チャネルで前記サウンディング参照信号を伝送するステップを含む請求項１０に記載のサウンディング参照信号の伝送方法。
【請求項１２】
前記アップリンク制御チャネルの後に隣接する前記アップリンク伝送チャネルのみで前記アップリンクスケジューリング伝送が行われると、前記アップリンク制御チャネルで前記サウンディング参照信号を伝送するステップは、
サブフレームｎ−１に前記アップリンク制御チャネルが存在するものの、該アップリンク制御チャネルの存在するサブフレームでアップリンク制御情報が伝送されないと検出し、サブフレームｎの開始位置から前記アップリンク伝送チャネルをスケジューリングするための前記ダウンリンク制御情報を、サブフレームｎ−４以前のサブフレームで受信すると、サブフレームｎ−１で前記アップリンク制御チャネルを利用して前記サウンディング参照信号の伝送を開始することを含む請求項１１に記載のサウンディング参照信号の伝送方法。
【請求項１３】
前記アップリンク伝送チャネルがスケジューリングされると、該アップリンク伝送チャネルの前記スケジューリング情報を取得するステップに先立って、リスンビフォートークのモニタリングメカニズムを実行することをさらに含む請求項１０から請求項１２のいずれかに記載のサウンディング参照信号の伝送方法。
【請求項１４】
アップリンク伝送チャネルがスケジューリングされると、該アップリンク伝送チャネルのスケジューリング情報を取得することに用いられる取得モジュールと、
前記アップリンク伝送チャネルの前記スケジューリング情報と、アップリンク制御信号伝送用のアップリンク制御チャネルに用いられるリソースとの所定のマッピング関係に基づいて、前記アップリンク伝送チャネルの前記スケジューリング情報に対応する前記アップリンク制御チャネルに用いられる前記リソースを確定することに用いられる処理モジュールと、
前記アップリンク制御チャネルに用いられる前記リソースを利用してサウンディング参照信号を伝送することに用いられる送信モジュールとを備えるサウンディング参照信号の伝送装置。
【請求項１５】
アップリンク伝送チャネルがスケジューリングされると、該アップリンク伝送チャネルのスケジューリング情報を受信することに用いられる受信機と、
前記アップリンク伝送チャネルの前記スケジューリング情報と、アップリンク制御信号伝送用のアップリンク制御チャネルに用いられるリソースとの所定のマッピング関係に基づいて、前記アップリンク伝送チャネルの前記スケジューリング情報に対応する前記アップリンク制御チャネルに用いられる前記リソースを確定することに用いられ、前記受信機に接続されるプロセッサと、
前記アップリンク制御チャネルに用いられる前記リソースを利用してサウンディング参照信号を伝送することに用いられ、前記プロセッサに接続される送信機とを備える端末。
【国際調査報告】
2019507987.tif 000023
2019507987.tif 000024
2019507987.tif 000025
2019507987.tif 000026
2019507987.tif 000027
2019507987.tif 000028
2019507987.tif 000029
2019507987.tif 000030
2019507987.tif 000031